(57)【要約】  第１無線ネットワークノード（２０８）および、第１無線ネットワークノード（２０８）と第２無線ネットワークノード（２１０）との間の通信インタフェースを確立する方法である。第１無線ネットワークノードはひとつ以上のエバルブドユニバーサルテレストリアルラジオアクセス（Ｅ−ＵＴＲＡ）リソースを提供するよう構成され、第２無線ネットワークノードはひとつ以上のニューラジオ（ＮＲ）リソースを提供するように構成される。さらに、第１および第２無線ネットワークノードは無線通信ネットワーク（２００）内で動作している。第１無線ネットワークノードは、第１コアネットワークノード（２０４）；およびプロキシとして働いている他の第１無線ネットワークノード（２０８）のうちのひとつから、第２無線ネットワークノードのトランスポートネットワークレイヤ（ＴＮＬ）アドレスを取得する。さらに、第１無線ネットワークノードは、取得されたＴＮＬアドレスに基づいて、第１無線ネットワークノードと第２無線ネットワークノードとの間の通信インタフェースを確立した。【選択図】図２
2020516142.tif 000002
【特許請求の範囲】
【請求項１】
第１無線ネットワークノード（２０８）によって実行される、前記第１無線ネットワークノード（２０８）と第２無線ネットワークノード（２１０）との間の通信インタフェースを確立する方法であって、前記第１無線ネットワークノード（２０８）がひとつ以上のエバルブドユニバーサルテレストリアルラジオアクセス、Ｅ−ＵＴＲＡ、リソースを提供するよう構成され、前記第２無線ネットワークノード（２１０）がひとつ以上のニューラジオ、ＮＲ、リソースを提供するように構成され、前記第１および第２無線ネットワークノード（２０８、２１０）が無線通信ネットワーク（２００）内で動作しており、前記方法は、
−前記第２無線ネットワークノード（２１０）のトランポートネットワークレイヤ、ＴＮＬ、アドレスを、以下のうちのひとつから、取得すること（３０５）と：
前記無線通信ネットワーク（２００）内で動作している第１コアネットワークノード（２０４）；および
前記無線通信ネットワーク（２００）内でプロキシノードとして働いている他の第１無線ネットワークノード（２０８）、ここで、前記他の第１無線ネットワークノード（２０８）がひとつ以上のＥ−ＵＴＲＡリソースを提供するよう構成される、
−前記取得されたＴＮＬアドレスに基づいて、前記第１無線ネットワークノード（２０８）と前記第２無線ネットワークノード（２１０）との間の通信インタフェースを確立すること（３０６）と、を含む方法。
【請求項２】
前記第２無線ネットワークノード（２１０）のノード識別子が前記第１無線ネットワークノード（２０８）のノード識別子と異なる請求項１に記載の方法。
【請求項３】
前記第２無線ネットワークノード（２１０）の前記ノード識別子がＮＲセル識別子から導出され、前記第１無線ネットワークノード（２０８）の前記ノード識別子がＥ−ＵＴＲＡセル識別子から導出される請求項２に記載の方法。
【請求項４】
−前記第１コアネットワークノード（２０４）との通信インタフェースを有する前記第２無線ネットワークノード（２１０）の前記ＴＮＬアドレスを求める要求を、前記第１コアネットワークノード（２０４）に、送信すること（３０１）を含み、
前記ＴＮＬアドレスを取得すること（３０５）は、
−前記第２無線ネットワークノード（２１０）の前記ＴＮＬアドレスを、前記第１コアネットワークノード（２０４）から受信することを含む請求項１から３のいずれか一項に記載の方法。
【請求項５】
−前記第２無線ネットワークノード（２１０）の前記ＴＮＬアドレスを求める要求を、前記プロキシノードとして働いている前記他の第１無線ネットワークノード（２０８）に、送信すること（３０２）を含み、
前記ＴＮＬアドレスを取得すること（３０５）は、
−前記第２無線ネットワークノード（２１０）の前記ＴＮＬアドレスを、前記プロキシノードとして働いている前記他の第１コアネットワークノード（２０８）から、受信することを含む請求項１に記載の方法。
【請求項６】
前記第２無線ネットワークノード（２１０）の前記ＴＮＬアドレスを求める要求を、前記第１コアネットワークノード（２０４）に、インターコアネットワーク、ＣＮ、インターシステムインタフェースを介して、送信することを含み、
前記ＴＮＬアドレスを取得すること（３０５）は、
−前記第２無線ネットワークノード（２１０）の前記ＴＮＬアドレスを、前記第１コアネットワークノード（２０４）から、受信することを含む請求項１に記載の方法。
【請求項７】
前記通信インタフェースはＸｘ−Ｃインタフェースである請求項１から６のいずれか一項に記載の方法。
【請求項８】
第２無線ネットワークノード（２１０）によって実行される、第１無線ネットワークノード（２０８）と前記第２無線ネットワークノード（２１０）との間の通信インタフェースの確立を可能とするためにそのトランスポートネットワークレイヤ、ＴＮＬ、アドレスを提供する方法であって、前記第１無線ネットワークノード（２０８）がひとつ以上のエバルブドユニバーサルテレストリアルラジオアクセス、Ｅ−ＵＴＲＡ、リソースを提供するよう構成され、前記第２無線ネットワークノード（２１０）がひとつ以上のニューラジオ、ＮＲ、リソースを提供するように構成され、前記第１無線ネットワークノード（２０８）および前記第２無線ネットワークノード（２１０）が無線通信ネットワーク（２００）内で動作しており、前記方法は、
−ＴＮＬアドレスを、
前記無線通信ネットワーク（２００）内で動作している第１コアネットワークノード（２０４）；および
前記無線通信ネットワーク（２００）内でプロキシノードとして働いている他の第１無線ネットワークノード（２０８）のうちのひとつに提供すること（５０３）を含み、
前記他の第１無線ネットワークノード（２０８）がひとつ以上のＥ−ＵＴＲＡリソースを提供するよう構成される方法。
【請求項９】
−前記第１コアネットワークノード（２０４）との通信インタフェースを確立すること（５０１）と、
−そのＴＮＬアドレスを求める要求を、前記第１コアネットワークノード（２０４）から、受信すること（５０２）と、を含み、
前記ＴＮＬアドレスを提供すること（５０３）は、
−前記第１コアネットワークノード（２０４）に前記ＴＮＬアドレスを前記通信インタフェースを介して送信することを含む請求項８に記載の方法。
【請求項１０】
前記第１コアネットワークノード（２０４）との前記通信インタフェースを確立すること（５０１）は、
−ストリームコントロールトランスミッションプロトコル、ＳＣＴＰ、関連付け手順を開始し、かつ、Ｓ１−ＭＭＥ手順を初期化することによって、Ｓ１−ＭＭＥインタフェースをセットアップすることを含む請求項９に記載の方法。
【請求項１１】
−前記プロキシノードとして働いている前記他の第１無線ネットワークノード（２０８）とのＸｘ−Ｃインタフェースを確立することを含み、
前記ＴＮＬアドレスを提供すること（５０３）は、
−前記プロキシノードとして働いている前記他の第１無線ネットワークノード（２０８）に前記ＴＮＬアドレスを前記Ｘｘ−Ｃインタフェースを介して送信することを含む請求項８に記載の方法。
【請求項１２】
−前記第１コアネットワークノード（２０４）とのインターコアネットワーク、ＣＮ、インターシステムインタフェースを確立することと、
−そのＴＮＬアドレスを求める要求を、前記第１コアネットワークノード（２０４）から、受信すること（５０２）と、を含み、
前記ＴＮＬアドレスを提供すること（５０３）は、
−前記第１コアネットワークノード（２０４）に前記ＴＮＬアドレスを前記インターＣＮインターシステムインタフェースを介して送信することを含む請求項８に記載の方法。
【請求項１３】
第１無線ネットワークノード（２０８）であって、第１無線ネットワークノード（２０８）は前記第１無線ネットワークノード（２０８）と第２無線ネットワークノード（２１０）との間の通信インタフェースを確立し、前記第１無線ネットワークノード（２０８）がひとつ以上のエバルブドユニバーサルテレストリアルラジオアクセス、Ｅ−ＵＴＲＡ、リソースを提供するよう構成され、前記第２無線ネットワークノード（２１０）がひとつ以上のニューラジオ、ＮＲ、リソースを提供するように構成され、前記第１および第２無線ネットワークノード（２０８、２１０）が無線通信ネットワーク（２００）内で動作するよう構成され、前記第１無線ネットワークノード（２０８）は、
−前記第２無線ネットワークノード（２１０）のトランポートネットワークレイヤ、ＴＮＬ、アドレスを、以下のうちのひとつから、取得することと、
前記無線通信ネットワーク（２００）内で動作するよう構成された第１コアネットワークノード（２０４）；および
前記無線通信ネットワーク（２００）内でプロキシノードとして働くよう構成された他の第１無線ネットワークノード（２０８）、ここで、前記他の第１無線ネットワークノード（２０８）がひとつ以上のＥ−ＵＴＲＡリソースを提供するよう構成される、
−前記取得されたＴＮＬアドレスに基づいて、前記第１無線ネットワークノード（２０８）と前記第２無線ネットワークノード（２１０）との間の通信インタフェースを確立することと、
を行うよう構成される第１無線ネットワークノード（２０８）。
【請求項１４】
前記第２無線ネットワークノード（２１０）のノード識別子が前記第１無線ネットワークノード（２０８）のノード識別子と異なる請求項１３に記載の第１無線ネットワークノード（２０８）。
【請求項１５】
前記第２無線ネットワークノード（２１０）の前記ノード識別子がＮＲセル識別子から導出され、前記第１無線ネットワークノード（２０８）の前記ノード識別子がＥ−ＵＴＲＡセル識別子から導出される請求項１４に記載の第１無線ネットワークノード（２０８）。
【請求項１６】
前記第１無線ネットワークノード（２０８）は、
−前記第１コアネットワークノード（２０４）との通信インタフェースを有する前記第２無線ネットワークノード（２１０）の前記ＴＮＬアドレスを求める要求を、前記第１コアネットワークノード（２０４）に、送信すること、を行うように構成され、
前記第１無線ネットワークノード（２０８）は、
−前記第２無線ネットワークノード（２１０）の前記ＴＮＬアドレスを、前記第１コアネットワークノード（２０４）から、受信すること、を行うように構成されることによって、前記ＴＮＬアドレスを取得するよう構成される請求項１３から１５のいずれか一項に記載の第１無線ネットワークノード（２０８）。
【請求項１７】
前記第１無線ネットワークノード（２０８）は、
−前記第２無線ネットワークノード（２１０）の前記ＴＮＬアドレスを求める要求を、前記プロキシノードとして働いている前記他の第１無線ネットワークノード（２０８）に、送信すること、を行うように構成され、
前記第１無線ネットワークノード（２０８）は、
−前記第２無線ネットワークノード（２１０）の前記ＴＮＬアドレスを、前記プロキシノードとして働いている前記他の第１コアネットワークノード（２０８）から、受信すること、を行うように構成されることによって、前記ＴＮＬアドレスを取得するよう構成される請求項１３に記載の第１無線ネットワークノード（２０８）。
【請求項１８】
前記第１無線ネットワークノード（２０８）は、
前記第２無線ネットワークノード（２１０）の前記ＴＮＬアドレスを求める要求を、前記第１コアネットワークノード（２０４）に、インターコアネットワーク、ＣＮ、インターシステムインタフェースを介して、送信すること、を行うように構成され、
前記第１無線ネットワークノード（２０８）は、
−前記第２無線ネットワークノード（２１０）の前記ＴＮＬアドレスを、前記第１コアネットワークノード（２０４）から、受信すること、を行うように構成されることによって、前記ＴＮＬアドレスを取得するよう構成される請求項１３に記載の第１無線ネットワークノード（２０８）。
【請求項１９】
前記通信インタフェースはＸｘ−Ｃインタフェースである請求項１３から１８のいずれか一項に記載の第１無線ネットワークノード（２０８）。
【請求項２０】
第２無線ネットワークノード（２１０）であって、前記第２無線ネットワークノード（２１０）は、第１無線ネットワークノード（２０８）と前記第２無線ネットワークノード（２１０）との間の通信インタフェースの確立を可能とするためにそのトランスポートネットワークレイヤ、ＴＮＬ、アドレスを提供し、前記第１無線ネットワークノード（２０８）がひとつ以上のエバルブドユニバーサルテレストリアルラジオアクセス、Ｅ−ＵＴＲＡ、リソースを提供するよう構成され、前記第２無線ネットワークノード（２１０）がひとつ以上のニューラジオ、ＮＲ、リソースを提供するように構成され、前記第１無線ネットワークノード（２０８）および前記第２無線ネットワークノード（２１０）が無線通信ネットワーク（２００）内で動作するよう構成され、前記第２無線ネットワークノード（２１０）は、
−ＴＮＬアドレスを以下のうちのひとつに提供することを行うように構成され、
前記無線通信ネットワーク（２００）内で動作するよう構成された第１コアネットワークノード（２０４）；および
前記無線通信ネットワーク（２００）内でプロキシノードとして働くよう構成された他の第１無線ネットワークノード（２０８）、
前記他の第１無線ネットワークノード（２０８）がひとつ以上のＥ−ＵＴＲＡリソースを提供するよう構成される第２無線ネットワークノード（２１０）。
【請求項２１】
前記第２無線ネットワークノード（２１０）は、
−前記第１コアネットワークノード（２０４）との通信インタフェースを確立することと、
−そのＴＮＬアドレスを求める要求を、前記第１コアネットワークノード（２０４）から、受信することと、を行うように構成され、
前記第２無線ネットワークノード（２１０）は、
−前記第１コアネットワークノード（２０４）に前記ＴＮＬアドレスを前記通信インタフェースを介して送信すること、を行うように構成されることによって、前記ＴＮＬアドレスを提供するよう構成される請求項２０に記載の第２無線ネットワークノード（２１０）。
【請求項２２】
前記第２無線ネットワークノード（２１０）は、
−ストリームコントロールトランスミッションプロトコル、ＳＣＴＰ、関連付け手順を開始し、かつ、Ｓ１−ＭＭＥ手順を開始することによって、Ｓ１−ＭＭＥインタフェースをセットアップすること、を行うよう構成されることによって、前記第１コアネットワークノード（２０４）との前記通信インタフェースを確立するよう構成される請求項２１に記載の第２無線ネットワークノード（２１０）。
【請求項２３】
前記第２無線ネットワークノード（２１０）は、
−前記プロキシノードとして働いている前記第２無線ネットワークノード（２０８）とのＸｘ−Ｃインタフェースを確立すること、を行うように構成され、
前記第２無線ネットワークノード（２１０）は、
−前記プロキシノードとして働いている前記第２無線ネットワークノード（２０８）に前記ＴＮＬアドレスを前記Ｘｘ−Ｃインタフェースを介して送信すること、を行うように構成されることによって、前記ＴＮＬアドレスを提供するよう構成される請求項２０に記載の第２無線ネットワークノード（２１０）。
【請求項２４】
前記第２無線ネットワークノード（２１０）は、
−前記第１コアネットワークノード（２０４）とのインターコアネットワーク、ＣＮ、インターシステムインタフェースを確立することと、
−そのＴＮＬアドレスを求める要求を、前記第１コアネットワークノード（２０４）から、受信することと、を行うように構成され、
前記第２無線ネットワークノード（２１０）は、
−前記第１コアネットワークノード（２０４）に前記ＴＮＬアドレスを前記インターＣＮインターシステムインタフェースを介して送信すること、を行うように構成されることによって、前記ＴＮＬアドレスを提供するよう構成される請求項２０に記載の第２無線ネットワークノード（２１０）。
【請求項２５】
コンピュータプログラムであって、インストラクションを備え、該インストラクションは少なくともひとつのプロセッサによって実行された場合、前記少なくともひとつのプロセッサに請求項１から１２のいずれか一項に記載の方法を実行させるコンピュータプログラム。
【請求項２６】
請求項２５に記載のコンピュータプログラムを含むキャリアであって、前記キャリアは電気信号、光学信号、無線信号、またはコンピュータ可読ストレージ媒体のうちのひとつであるキャリア。
【発明の詳細な説明】
【技術分野】
【０００１】
本明細書の実施の形態は、第１無線ネットワークノード（ＲＮＮ）、第２ＲＮＮおよびそれらにおける方法に関する。特に、本明細書の実施の形態は、第１ＲＮＮと第２ＲＮＮとの間の通信インタフェースを確立することに関する。
【背景技術】
【０００２】
端末や無線デバイスなどの通信デバイスは、ユーザ装置（ＵＥ）、移動端末、無線端末、および／または移動局としても知られている。このような端末は、無線通信システムまたはセルラ通信ネットワーク（セルラ無線システムまたはセルラネットワークとも呼ばれる）において無線で通信することが可能である。通信は例えば、無線通信ネットワーク内に含まれる無線アクセスネットワーク（ＲＡＮ）および場合によっては１つまたは複数のコアネットワークを介して、２つの無線デバイス間で、無線デバイスと通常の電話との間で、および／または無線デバイスとサーバとの間で実行され得る。
【０００３】
上記の端末または無線デバイスはさらに、いくつかのさらなる例を挙げるとすると、無線能力を有する携帯電話、セルラ電話、ラップトップ、またはタブレットと呼ばれることがある。本文脈における端末または無線デバイスは例えば、携帯型、ポケット格納型、ハンドヘルド型、コンピュータ搭載型、または車両搭載型のモバイルデバイスであってもよく、ＲＡＮを介して、別の端末またはサーバなどの別のエンティティと音声および／またはデータを通信することが可能である。
【０００４】
セルラ通信ネットワークはセルエリアに分割される地理的エリアをカバーし、各セルエリアは使用される技術および用語に応じて、基地局、たとえば、「ｅＮＢ」、「ｅＮｏｄｅＢ」、「ＮｏｄｅＢ」、「Ｂノード」、または基地送受信局（ＢＴＳ）と呼ばれることがある無線基地局（ＲＢＳ）などのアクセスノードによって担当される。基地局は例えば、送信電力に基づいて、およびしたがってセルサイズにも基づいて、マクロｅＮｏｄｅＢ、ホームｅＮｏｄｅＢ、またはピコ基地局のような異なるクラスのものであってもよい。セルは、基地局サイトにある基地局によって無線カバレッジが提供される地理的エリアである。基地局サイトに位置する１つの基地局は、１つまたは複数のセルを担当することができる。さらに、各基地局は、１つまたは複数の通信技術をサポートすることができる。基地局は、無線周波数で動作するエアインタフェースを介して、基地局の範囲内の端末または無線デバイスと通信する。本開示の文脈において、ダウンリンク（ＤＬ）という表現は、基地局から移動局への伝送経路のために使用される。アップリンク（ＵＬ）という表現は、反対方向、すなわち移動局から基地局への伝送経路に使用される。
【０００５】
ユニバーサルモバイルテレコミュニケーションシステム（ＵＭＴＳ）は、第２世代（２Ｇ）グローバルシステムフォーモバイルコミュニケーション（ＧＳＭ）ネットワークから発展した第３世代（３Ｇ）テレコミュニケーションネットワークである。ＵＭＴＳテレストリアルラジオアクセスネットワーク（ＵＴＲＡＮ）は本質的に、ユーザ機器のための、広帯域符号分割多元接続（ＷＣＤＭＡ）および／または高速パケットアクセス（ＨＳＰＡ）を使用するＲＡＮである。第３世代パートナーシッププロジェクト（３ＧＰＰ）と呼ばれるフォーラムにおいて、電気通信サプライヤは第３世代ネットワークのための規格を提案し、合意し、向上したデータレートおよび無線容量を研究する。いくつかのＲＡＮでは、例えば、ＵＭＴＳにおけるように、いくつかの無線ネットワークノードは無線ネットワークコントローラ（ＲＮＣ）または基地局コントローラ（ＢＳＣ）などのコントローラノードに（例えば、地上線またはマイクロ波によって）接続され、それらのコントローラノードは、それに接続された複数の無線ネットワークノードの様々なアクティビティを監視および調整してもよい。このタイプの接続はバックホール接続と呼ばれることがある。ＲＮＣおよびＢＳＣは、通常、１つまたは複数のコアネットワークに接続される。
【０００６】
第４世代（４Ｇ）ネットワークとも呼ばれるエバルブドパケットシステム（ＥＰＳ）の仕様は３ＧＰＰ内で完了しており、この作業は例えば、第５世代（５Ｇ）ネットワークを指定するために、来るべき３ＧＰＰリリースにおいて継続する。ＥＰＳは、ロングタームエボリューション（ＬＴＥ）無線アクセスネットワークとしても知られる発展型ユニバーサル地上無線アクセスネットワーク（Ｅ−ＵＴＲＡＮ）と、システムアーキテクチャエボリューション（ＳＡＥ）コアネットワークとしても知られる発展型パケットコア（ＥＰＣ）と、を含む。Ｅ−ＵＴＲＡＮ／ＬＴＥは、無線ネットワークノードがＲＮＣにではなくＥＰＣコアネットワークに直接接続される３ＧＰＰ無線アクセスネットワークの変形である。一般に、Ｅ−ＵＴＲＡＮ／ＬＴＥでは、ＲＮＣの機能は、無線ネットワークノード、例えば、ＬＴＥにおけるｅＮｏｄｅＢ、とコアネットワークとの間で分散される。したがって、ＥＰＳのＲＡＮは、１つまたは複数のコアネットワークに直接接続された、すなわちＲＮＣに接続されていない、無線ネットワークノードを備える本質的に「フラット」なアーキテクチャを有する。これを補償するために、Ｅ−ＵＴＲＡＮ仕様は無線ネットワークノード間の直接インタフェースを定義し、このインタフェースはＸ２インタフェースと呼ばれる。
【０００７】
３ＧＰＰ  ＬＴＥネットワークでは、ｅＮｏｄｅＢまたはｅＮＢと呼ばれることもある基地局は、１つまたは複数のコアネットワークに直接接続され得る。
【０００８】
３ＧＰＰ  ＬＴＥ無線アクセス規格は、アップリンクトラフィックおよびダウンリンクトラフィックの両方について、高いビットレートおよび低いレイテンシをサポートするよう記載されている。全てのデータ伝送は、無線基地局によって制御されるＬＴＥで行われる。
【０００９】
マルチアンテナ技術は、無線通信システムのデータレートおよび信頼性を顕著に増大させうる。送信器および受信器の両方が複数のアンテナを備える場合、すなわち複数入力複数出力（ＭＩＭＯ）通信チャネルが実現する場合、性能が特に改善する。そのようなシステムおよび／または関連技術はＭＩＭＯシステムと総称される。
【００１０】
４Ｇ通信ネットワークでは、ＥＰＳ、自動隣接関係（ＡＮＲ）機能、およびＸ２−Ｃトランスポートネットワークレイヤ（ＴＮＬ）アドレス発見が導入されることで、まだ互いにＸ２インタフェースをセットアップしていないｅＮＢがそうすることを可能にした。これは、例えば、隣接ｅＮＢがハンドオーバのためのターゲットセルとして適切なセルを担当するとｅＮＢが決定した場合であり得る。ｅＮＢ間のアドレスの交換、例えば、それぞれのｅＮＢのＸ２−ＣインタフェースＴＮＬシグナリングアドレスの交換は、コアネットワークを介したシグナリングによって達成されてもよい（３ＧＰＰ  ＴＳ  ３６．３００参照）。コアネットワークを介したｅＮＢ間のシグナリングは、各ｅＮＢがシグナリング目的のために、コアネットワーク（ＣＮ）ノード、例えば、モビリティ管理エンティティ（ＭＭＥ）へのＳ１−ＭＭＥインタフェースインスタンスへの接続を確立したという事実に起因して可能にされる。これにより、各ｅＮＢは、そのノード識別（アイデンティティ）をＭＭＥに提供する。
【００１１】
ＴＮＬはＲＡＮとＣＮとの間、例えば、ｅＮＢなどの無線ネットワークノード（ＲＮＮ）とＣＮノード（ＣＮＮ）との間、の物理的および論理的接続を確立する。ＴＮＬは、トランスポートネットワーク制御プレーン（Ｃプレーン）およびトランスポートネットワークユーザプレーン（Ｕプレーン）を備える。
【００１２】
ｅＮＢノード識別（ＩＤ）は、それが担当するＥ−ＵＴＲＡセルの識別の２０個の最上位ビット（ＭＳＢ）から導出される。Ｅ−ＵＴＲＡセルＩＤは２８ビット長である。しかしながら、３ＧＰＰリリース１４（Ｒｅｌ−１４）で導入されたように、ｅＮＢ識別は例えば、ホームｅＮＢのために、または柔軟なｅＮＢ  ＩＤを有するｅＮＢのために、Ｅ−ＵＴＲＡセルの識別の２０より少ないまたは多いＭＳＢから構成されてもよいことを理解されたい。
【００１３】
例えばハンドオーバターゲットとして適切な隣接ｅＮＢのセルを検出するｅＮＢは、セルを報告するＵＥにＥ−ＵＴＲＡセル識別を提供するように要求する。隣接ｅＮＢ識別は、Ｅ−ＵＴＲＡセル識別から導出され得る。
【００１４】
ｅＮＢ（例えば、要求元ｅＮＢ）が潜在的なハンドオーバターゲットセルを担当する隣接ｅＮＢへのＸ２インタフェースをセットアップすることを望む場合、要求元ｅＮＢはＳ１−ＭＭＥシグナリングによって、例えば、ｅＮＢＣＯＮＦＩＧＵＲＡＴＩＯＮ  ＴＲＡＮＳＦＥＲによって、ＣＮノード（例えば、ＭＭＥ）にそのノード識別を提供する。それによって、ＭＭＥに、潜在的なハンドオーバターゲットをホストするノードのｅＮＢ識別を解決し、隣接ｅＮＢにＸ２−Ｃシグナリングアドレスを提供することを求める要求を中継するように求める。要求元ｅＮＢがＸ２−Ｃシグナリングアドレスを受信すると、Ｘ２−Ｃインタフェースをセットアップすることができる。
【発明の概要】
【００１５】
本明細書の実施の形態によって対処される目的は、無線通信ネットワークにおける性能をどのように改善するかである。
【００１６】
本明細書の実施の形態のある態様によると、第１無線ネットワークノードによって実行される、第１無線ネットワークノードと第２無線ネットワークノードとの間の通信インタフェースを確立する方法によって目的が達成される。第１無線ネットワークノードはひとつ以上のＥ−ＵＴＲＡリソースを提供するよう構成され、第２無線ネットワークノードはひとつ以上のＮＲリソースを提供するように構成される。第１無線ネットワークノードおよび第２無線ネットワークノードが無線通信ネットワーク内で動作している。
【００１７】
第１無線ネットワークノードは、無線通信ネットワークで動作している第１コアネットワークノードおよび無線通信ネットワークでプロキシノードとして働いている他の第１無線ネットワークノードのうちのひとつから、第２無線ネットワークノードのＴＮＬアドレスを取得し、ここで、他の第１無線ネットワークノードがひとつ以上のＥ−ＵＴＲＡリソースを提供するよう構成される。
【００１８】
さらに、第１無線ネットワークノードは、取得されたＴＮＬアドレスに基づいて、第１無線ネットワークノードと第２無線ネットワークノードとの間の通信インタフェースを確立する。
【００１９】
本明細書の実施の形態の他の態様によると、第１無線ネットワークノードと第２無線ネットワークノードとの間の通信インタフェースを確立する第１無線ネットワークノードによって目的が達成される。第１無線ネットワークノードはひとつ以上のＥ−ＵＴＲＡリソースを提供するよう構成され、第２無線ネットワークノードはひとつ以上のＮＲリソースを提供するように構成される。第１無線ネットワークノードおよび第２無線ネットワークノードは無線通信ネットワーク内で動作するよう構成される。
【００２０】
第１無線ネットワークノードは、無線通信ネットワークで動作するよう構成された第１コアネットワークノードおよび無線通信ネットワークでプロキシノードとして働くよう構成された他の第１無線ネットワークノードのうちのひとつから、第２無線ネットワークノードのＴＮＬアドレスを取得するよう構成され、ここで、他の第１無線ネットワークノードがひとつ以上のＥ−ＵＴＲＡリソースを提供するよう構成される。
【００２１】
さらに、第１無線ネットワークノードは、取得されたＴＮＬアドレスに基づいて、第１無線ネットワークノードと第２無線ネットワークノードとの間の通信インタフェースを確立するよう構成される。
【００２２】
本明細書の実施の形態の他の態様によると、第２無線ネットワークノードによって実行される、第１無線ネットワークノードと第２無線ネットワークノードとの間の通信インタフェースの確立を可能とするためにそのトランスポートネットワークレイヤ（ＴＮＬ）アドレスを第１無線ネットワークノードに提供する方法によって目的が達成される。第１無線ネットワークノードはひとつ以上のＥ−ＵＴＲＡリソースを提供するよう構成され、第２無線ネットワークノードはひとつ以上のＮＲリソースを提供するように構成される。第１無線ネットワークノードおよび第２無線ネットワークノードが無線通信ネットワーク内で動作している。
【００２３】
第２無線ネットワークノードは、無線通信ネットワークで動作している第１コアネットワークノードおよび無線通信ネットワークでプロキシノードとして働いている他の第１無線ネットワークノードのうちのひとつへ、ＴＮＬアドレスを提供し、ここで、他の第１無線ネットワークノードがひとつ以上のＥ−ＵＴＲＡリソースを提供するよう構成される。
【００２４】
本明細書の実施の形態の他の態様によると、第１無線ネットワークノードと第２無線ネットワークノードとの間の通信インタフェースの確立を可能とするためにそのトランスポートネットワークレイヤ（ＴＮＬ）アドレスを第１無線ネットワークノードに提供する第２無線ネットワークノードによって目的が達成される。第１無線ネットワークノードはひとつ以上のＥ−ＵＴＲＡリソースを提供するよう構成され、第２無線ネットワークノードはひとつ以上のＮＲリソースを提供するように構成される。第１無線ネットワークノードおよび第２無線ネットワークノードは無線通信ネットワーク内で動作するよう構成される。
【００２５】
第２無線ネットワークノードは、無線通信ネットワークで動作するよう構成される第１コアネットワークノードおよび無線通信ネットワークでプロキシノードとして働くよう構成される他の第１無線ネットワークノードのうちのひとつへ、ＴＮＬアドレスを提供するよう構成され、ここで、他の第１無線ネットワークノードがひとつ以上のＥ−ＵＴＲＡリソースを提供するよう構成される。
【００２６】
本明細書の実施の形態の他の態様によると、コンピュータプログラムであって、インストラクションを含み該インストラクションは少なくともひとつのプロセッサで実行された場合、少なくともひとつのプロセッサに第１無線ネットワークノードによって実行される方法を実行させるコンピュータプログラムによって目的が達成される。
【００２７】
本明細書の実施の形態の他の態様によると、コンピュータプログラムであって、インストラクションを含み該インストラクションは少なくともひとつのプロセッサで実行された場合、少なくともひとつのプロセッサに第２無線ネットワークノードによって実行される方法を実行させるコンピュータプログラムによって目的が達成される。
【００２８】
本明細書の実施の形態の他の態様によると、コンピュータプログラムを含むキャリアであって、キャリアは電気信号、光学信号、無線信号、またはコンピュータ可読ストレージ媒体のうちのひとつである、キャリアによって目的が達成される。
【００２９】
第１無線ネットワークノードは、第２無線ネットワークノードのＴＮＬアドレスを受信するので、第１無線ネットワークノードは、第１無線ネットワークノードのＴＮＬアドレスを用いて予め第２無線ネットワークノードを設定する必要なしに、第１無線ネットワークノードと第２無線ネットワークノードとの間の通信インタフェースを確立することができる。この結果、無線通信ネットワークの性能が向上する。
【００３０】
本明細書に開示されるいくつかの実施の形態の利点は、煩雑で誤りを起こしやすいＯ＆Ｍ構成を回避またはそれによる制限をなくすことである。トラフィックインタフェースを利用するアプローチはまた、セルフオーガナイジングネットワーク（ＳＯＮ）の原理に沿って、より動的なアドレス発見を可能にするものと見なされるべきである。
【図面の簡単な説明】
【００３１】
本明細書の実施の形態の例は、添付の図面を参照してより詳細に説明される：
【図１Ａ】図１Ａおよび図１Ｂは、それぞれ、オプション３／３ａ／３ｘのＣプレーン接続およびＵプレーン接続を概略的に示す。
【図１Ｂ】図１Ａおよび図１Ｂは、それぞれ、オプション３／３ａ／３ｘのＣプレーン接続およびＵプレーン接続を概略的に示す。
【図２】無線通信ネットワークの実施の形態を概略的に示す。
【図３】第１無線ネットワークノードによって実行される方法の実施の形態を示すフローチャートである。
【図４】第１無線ネットワークノードの実施の形態を示す概略ブロック図である。
【図５】第２無線ネットワークノードによって実行される方法の実施の形態を示すフローチャートである。
【図６】第２無線ネットワークノードの実施の形態を示す概略ブロック図である。
【発明を実施するための形態】
【００３２】
本明細書の開発中の実施の形態の一部として、最新技術の通信ネットワークに関するいくつかの欠点が最初に特定され、議論される。
【００３３】
５Ｇ通信ネットワークの場合、第１無線ネットワークノード、例えば、ＬＴＥ  ｅＮＢのようなＥ−ＵＴＲＡリソースを提供するノードと、第２無線ネットワークノード、例えば、次世代ノードＢ（ｇＮＢ）のようなニューラジオ（ＮＲ）リソースを提供するノードと、の間の二重接続性を予測する接続性オプションが指定されようとしている。この接続性オプションは、３ＧＰＰ  ＴＲ  ３８．８０１仕様に従って「オプション３」と呼ばれ、Ｓ１インタフェースによるＲＡＮノードから４Ｇコアネットワークへの接続性を予測する。接続性オプション「オプション３」は、Ｅ−ＵＴＲＡＮ−ＮＲデュアル接続性（ＥＮ−ＤＣ）とも呼ばれ得る。３ＧＰＰ  ＴＲ  ３８．８０１仕様は第１無線ネットワークノード、例えば、ＬＴＥ  ｅＮＢと、第２無線ネットワークノード、例えば、ｇＮＢとの間のインタフェースを「Ｘｘ」と称するが、そのようなインタフェースはＸ２インタフェースの既存の仕様内で、すなわち、３ＧＰＰ  ３６．４２ｘシリーズで、指定される可能性が非常に高い。したがって、「Ｘｘインタフェース」、「Ｘｘアドレス」および同様の表現は、限定するものと解釈されるべきではなく、２つの無線ネットワークノード間のインタフェースを指すか、または関連するものと解釈されるべきである。
【００３４】
図１Ａおよび図１Ｂは、それぞれ、通信ネットワークにおけるＣプレーン接続およびＵプレーン接続を概略的に示す。図１Ａでは、ＬＴＥ  ｅＮＢとＭＭＥとの間にＳ１−ＭＭＥインタフェースが提供され、ＬＴＥ  ｅＮＢとｇＮＢとの間にＸＸ−Ｃインタフェースが提供される。しかしながら、図１Ａに示されるように、第２無線ネットワークノード、例えばｇＮＢ、からＭＭＥへのＣプレーン接続性はなく、図１Ｂに示されるように、サービングゲートウェイ（Ｓ−ＧＷ）へのＵプレーン接続性のみが予測される。したがって、オプション３については、ＴＮＬアドレス発見、例えば第２無線ネットワークノード、例えばｇＮＢのＸｘ−Ｃ  ＴＮＬアドレス発見、をどのように実行するかは明らかではない。図１Ｂはさらに、ＬＴＥ  ｅＮＢおよびｇＮＢのそれぞれからのＳ−ＧＷへのＳ１−Ｕインタフェースと、ＬＴＥ  ｅＮＢとｇＮＢとの間のＸｘ−Ｕインタフェースとを示す。
【００３５】
ｇＮＢのＳ１−ＭＭＥ接続性がない場合、第１無線ネットワークノードと第２無線ネットワークノードとの間のＸｘ−Ｃインタフェースを設定するための唯一の解決策は、オペレーションアンドメンテナンス（Ｏ＆Ｍ）手順中であり、すなわち、第１無線ネットワークノード、例えばＬＴＥ  ｅＮＢのすべての可能な第２無線ネットワークノード、例えばｇＮＢ隣接ノードを、上述のようにＬＴＥ  ｅＮＢのＸｘ−Ｃ  ＴＮＬアドレスで設定することによる。しかしながら、設定は常に煩雑で誤りを起こしやすい方法であり、これがＡＮＲおよびＴＮＬアドレス発見が４Ｇに導入された理由である。オプション３についても解決策が必要である。
【００３６】
本明細書に開示されるいくつかの実施の形態の目的は、従来技術の欠点の少なくともいくつかを克服または軽減することである。
【００３７】
したがって、本明細書で開示されるいくつかの実施の形態は、１つまたは複数の第２無線ネットワークノードのそれぞれ１つが完全に動作可能なＳ１−ＭＭＥを有さず、かつ／またはＥＰＣ／５Ｇ  ＣＮに対して確立された完全に動作可能な５Ｇ  ＣＮインタフェースインスタンスを有さない場合に、５Ｇ接続オプション３における１つまたは複数の第２無線ネットワークノード、たとえばｇＮＢのＴＮＬアドレス発見をどのように実行することができるかに関する。さらに、本明細書のいくつかの実施の形態は、第２無線ネットワークノードの取得されたＴＮＬアドレスに基づく、第１無線ネットワークノード、たとえば、ＬＴＥ  ｅＮＢと、第２無線ネットワークノード、たとえば、ＮＲ  ｇＮＢとの間の通信インタフェースの確立に関する。
【００３８】
本明細書で開示されるいくつかの実施の形態は、第２無線ネットワークノード、例えば、ｇＮＢなどのＮＲノードと、第１コアネットワークノード、例えば、ＭＭＥまたはＭＭＥプール、との間のＳ１−ＭＭＥ接続性を提案し、その第１コアネットワークノードには、対応する第１無線ネットワークノード、例えば、ＬＴＥ  ｅＮＢなどのＥ−ＵＴＲＡノード、が接続される。Ｓ１−ＭＭＥ手順の部分集合のみが、第２無線ネットワークノード、例えば、ｇＮＢ、と、対応する第１コアネットワークノード、例えば、対応するＭＭＥ、との間のＳ１−ＭＭＥインタフェースインスタンス上で動作し得る。
【００３９】
１つまたは複数の第１無線ネットワークノード、例えば、１つまたは複数のＬＴＥ  ｅＮＢが、１つまたは複数のプロキシノードとして働く、いくつかの代替的な実施の形態も説明される。
【００４０】
別の代替例は、第２無線ネットワークノード、例えば、ＮＲノードの、第１コアネットワークノード、例えば、ＭＭＥへの５Ｇ  ＣＮを介した接続性の上に構築し、インターシステムアドレス発見を可能にすることである。
【００４１】
ＬＴＥからの用語が本明細書の実施の形態を例示するために本開示において使用されているが、このことは、本明細書の実施の形態の範囲を前述のシステムのみに限定するとして理解されるべきではないことは留意されたい。例えば、ＮＲネットワーク、５Ｇネットワーク、ＬＴＥネットワーク、広帯域符符号分割多元アクセス（ＷＣＤＭＡ）ネットワーク、グローバルシステムフォーモバイルコミュニケーション（ＧＳＭ）ネットワーク、任意の３ＧＰＰセルラネットワーク、ワールドワイドインタオペラビリティフォーマイクロウェイブアクセス（ＷｉＭＡＸ）ネットワーク、ワイヤレスローカルエリアネットワーク（ＷＬＡＮ）、例えばＩＥＥＥ  ８０２．１５．４で定義されるローレートワイヤレスパーソナルアクセスネットワーク（ＬＲ−ＷＰＡＮ）、ブルートゥースネットワーク、ＳＩＧＦＯＸネットワーク、Ｚｉｇｂｅｅネットワーク、ブルートゥースローエネルギ（ＢＬＥ）ネットワーク（例えば、ブルートゥーススマートネットワーク）、またはセルラインターネットオブシングス（ＣＩｏＴ）ネットワーク（例えば、エンハンストカバレッジＧＳＭ−ＩｏＴ（ＥＣ−ＧＳＭ−ＩｏＴ）ネットワーク、狭帯域ＩｏＴ（ＮＢ−ＩｏＴ）ネットワーク）、または本明細書では時にｅＭＴＣネットワークと呼ばれるマシンタイプコミュニケーション（ＭＴＣ）用に構成された１つ以上の無線デバイスを含むネットワーク、等の他の無線システムも本開示の範囲内でカバーされるアイデアを活用することから利益を得ることができる。
【００４２】
ｇＮＢ、ｅＮｏｄｅＢおよびＵＥのような用語は非限定的であると考えられるべきであり、特に、２つの間のある階層的関係を暗示するものではなく、一般に、「ｅＮｏｄｅＢ」は装置１と考えられ、「ＵＥ」は装置２と考えられ、これらの２つの装置は何らかの無線チャネルを介して互いに通信することを注意しておく。
【００４３】
さらに、説明はたびたびダウンリンクにおける無線伝送に言及するが、実施の形態はアップリンクにおいて同等に適用可能である。
【００４４】
以下のセクションでは、本明細書の実施の形態を、いくつかの例示的な実施の形態によってより詳細に説明する。これらの実施の形態が相互に排他的でないことは留意されるべきである。１つの実施の形態からのコンポーネントは別の実施の形態に存在すると仮定することができ、これらのコンポーネントを他の例示的な実施の形態でどのように使用することができるかは、当業者には明らかであろう。
【００４５】
ここで、いくつかの例示的な実施の形態をより詳細に説明する。
【００４６】
図２は、本明細書の実施の形態を実施することができる無線通信ネットワーク２００の一例を示す。無線通信ネットワーク２００は、いくつかの例を挙げるとすると、ＮＲネットワーク、５Ｇネットワーク、ＬＴＥネットワーク、ＷＣＤＭＡネットワーク、ＧＳＭネットワーク、任意の３ＧＰＰセルラネットワーク、またはＷＬＡＮ、ＬＲ−ＷＰＡＮ、ブルートゥースネットワーク、ＷｉＭＡＸネットワーク、ＳＩＧＦＯＸネットワーク、Ｚｉｇｂｅｅネットワーク、ブルートゥーススマートネットワークなどのＢＬＥネットワークなどの短距離通信ネットワーク、またはＥＣ−ＧＳＭ−ＩｏＴネットワーク、ＮＢ−ＩｏＴネットワークもしくはｅＭＴＣネットワークなどのＣＩｏＴネットワーク、あるいは上述の通信ネットワークのひとつ以上の組み合わせであり得る。例えば、無線通信ネットワーク２００は、第１無線アクセス技術（ＲＡＴ）の第１通信ネットワーク（例えば、Ｅ−ＵＴＲＡＮ）、すなわちＬＴＥネットワークと、ＮＲネットワークなどの第２ＲＡＴの第２通信ネットワークと、を備えることができる。このようなＥ−ＵＴＲＡＮとＮＲとの複合通信ネットワークは、Ｅ−ＵＴＲＡＮネットワークとＮＲネットワークとの両方によって接続性を提供するという点で、二重接続性を提供する。
【００４７】
コアネットワーク（ＣＮ）２０２は通信ネットワーク２００内に含まれてもよい。コアネットワーク２０２は、いくつかの例を挙げるとすると、ＮＲコアネットワーク、５Ｇコアネットワーク、ＬＴＥコアネットワーク、ＷＣＤＭＡコアネットワーク、ＧＳＭコアネットワーク、任意の３ＧＰＰセルラコアネットワーク、またはＷＬＡＮコアネットワーク、ＬＲ−ＷＰＡＮコアネットワーク、ブルートゥースコアネットワーク、ＷｉＭＡＸコアネットワーク、ＳＩＧＦＯＸコアネットワーク、Ｚｉｇｂｅｅコアネットワーク、ブルートゥーススマートネットワークなどのＢＬＥコアネットワークなどの短距離通信コアネットワーク、またはＥＣ−ＧＳＭ−ＩｏＴコアネットワーク、ＮＢ−ＩｏＴコアネットワークもしくはｅＭＴＣコアネットワークなどのＣＩｏＴネットワーク、あるいは上述の通信コアネットワークのひとつ以上の組み合わせであり得る。例えば、コアネットワーク２０２は、第１ＲＡＴの第１コアネットワーク（例えば、ＥＰＣ）、すなわちＬＴＥコアネットワークと、ＮＲコアネットワークなどの第２ＲＡＴの第２コアネットワークと、を備えることができる。
【００４８】
第１コアネットワークノード（ＣＮＮ）２０４は、コアネットワーク２０２に含まれるか、またはコアネットワーク２０２と通信するように構成することができる。第１コアネットワークノード２０４は、モビリティ管理エンティティ（ＭＭＥ）であってもよい。しかしながら、第１コアネットワークノード２０４は、認証および移動機能（ＡＭＦ）であってもよい。したがって、第１コアネットワークノード２０４がＭＭＥと呼ばれることがある場合であっても、ＡＭＦまたは同様の機能またはノードであってもよいことを理解されたい。さらに、第１コアネットワークノード２０４がＡＭＦである場合、ＭＭＥインタフェースへの参照は、ＡＭＦインタフェースへの参照として解釈され得る。
【００４９】
第２コアネットワークノード２０６は、コアネットワーク２０２に含まれるか、またはコアネットワーク２０２と通信するように構成することができる。第２コアネットワークノード２０６は、サービングゲートウェイ（Ｓ−ＧＷ）であってもよい。しかしながら、第２コアネットワークノード２０６は、ユーザプレーン機能（ＵＰＦ）または同様の機能またはノードであってもよい。さらに、第２コアネットワークノード２０６がＵＰＦである場合、Ｓ−ＧＷインタフェースへの参照は、ＵＰＦインタフェースへの参照として解釈され得る。
【００５０】
第１無線ネットワークノード（ＲＮＮ）２０８は、通信ネットワーク２００内で動作するように設定かつ構成される。第１無線ネットワークノード２０８は、無線デバイス２１２が第１カバレッジエリア２０８ａ、例えば、第１無線ネットワークノード２０８によって担当される地理的エリア、内に位置するとき、無線デバイス２１２などの無線デバイスとの無線通信するよう構成される。明確にするために、図２では第１カバレッジエリア２０８ａが１つだけ示されているが、第１無線ネットワークノード２０８は複数の第１カバレッジエリア２０８ａを担当するかまたは管理することができることを理解されたい。１つ以上の第１カバレッジエリア２０８ａは、この開示では１つ以上の第１セル２０８ａと呼ばれることがある。
【００５１】
図２に第１無線ネットワークノード２０８が１つのみ示されている場合であっても、１つまたは複数のさらなる第１無線ネットワークノード２０８が通信ネットワーク２００内で動作していてもよいことを理解されたい。
【００５２】
第１無線ネットワークノード２０８は無線基地局などの送信ポイントであってもよく、それは例えば、Ｅ−ＵＴＲＡノード、ＬＴＥ  ｅＮＢ、ｅＮＢ、ｅＮｏｄｅＢ、またはホームノードＢ、ホームｅＮｏｄｅＢ、または１つまたは複数のＥ−ＵＴＲＡリソースを提供し、通信ネットワーク２００などの通信ネットワーク内の無線デバイスを担当することができる任意の他のネットワークノードである。第１無線ネットワークノード２０８はさらに、第１および／または第２コアネットワークノード２０４、２０６と通信するように構成され得る。
【００５３】
第２無線ネットワークノード（ＲＮＮ）２１０は、通信ネットワーク２００内で動作するように設定かつ構成される。第２無線ネットワークノード２１０は、無線デバイス２１２が第２カバレッジエリア２１０ａ、例えば、第２無線ネットワークノード２１０によって担当される地理的エリア、内に位置するとき、無線デバイス２１２などの無線デバイスとの無線通信するよう構成される。明確にするために、図２では第２カバレッジエリア２１０ａが１つだけ示されているが、第２無線ネットワークノード２１０は複数の第２カバレッジエリア２１０ａを担当するかまたは管理することができることを理解されたい。１つ以上の第２カバレッジエリア２１０ａは、この開示では１つ以上の第２セル２１０ａと呼ばれることがある。
【００５４】
第２無線ネットワークノード２１０は無線基地局などの送信ポイントであってもよく、それは例えば、ＮＲノード、ｇＮＢ、または１つまたは複数のＮＲリソースを提供し、通信ネットワーク２００などの通信ネットワーク内の無線デバイスを担当することができる任意の他のネットワークノードである。第２無線ネットワークノード２１０はさらに、第１および／または第２コアネットワークノード２０４、２０６と通信するように構成され得る。
【００５５】
無線デバイス２１２は、無線通信ネットワーク２００において動作している。無線デバイス２１２は、無線通信デバイス、ユーザ装置、ＵＥ、移動局、またはモバイルステーション（ＭＳ）とも呼ばれ、無線通信ネットワーク２００内に配置され得る。例えば、無線デバイス２１２は、インターネットオブシングス（ＩｏＴ）デバイス、ユーザ装置、モバイル端末または無線端末、携帯電話、例えばラップトップ、パーソナルデジタルアシスタント（ＰＤＡ）またはタブレットコンピュータのような無線能力のあるコンピュータ、あるいは無線通信ネットワークにおいて無線リンクを介して通信することができる任意の他の無線ネットワークユニットであってもよい。本明細書で使用されるユーザ装置という用語はまた、マシンツーマシン（Ｍ２Ｍ）デバイスなどの他の無線デバイスを、それらがどのユーザによって全く取り扱われない場合であっても、カバーすることに留意されたい。いくつかの実施の形態では、無線デバイス２１２は固定無線デバイスである。したがって、無線デバイス２１２は、この開示では固定無線デバイス２１２と呼ばれることがある。本明細書で使用される場合、「固定無線デバイス」という表現は、無線デバイス２１２が移動していないことを意味する。例えば、固定無線デバイスは、使用中、例えば動作中、に動いていない。
【００５６】
第１無線ネットワークノード２０８によって実行される、第１無線ネットワークノード２０８と第２無線ネットワークノード２１０との間の通信インタフェースを確立する方法の一例が、図３に示されるフローチャートを参照して説明される。第１無線ネットワークノードはひとつ以上のＥ−ＵＴＲＡリソースを提供するよう構成され、第２無線ネットワークノードはひとつ以上のＮＲリソースを提供するように構成される。第２無線ネットワークノード２１０はｇＮＢであってもよく、したがって、第１コアネットワークノード２０４との制御プレーン接続を欠く。上述の通り、第１無線ネットワークノード２０８および第２無線ネットワークノード２１０は無線通信ネットワーク２００内で動作する。
ある実施の形態では、第２無線ネットワークノード２１０のノード識別子が第１無線ネットワークノード２０８のノード識別子と異なる。
【００５７】
第２無線ネットワークノード２１０のノード識別子はＮＲセル識別子から導出されてもよく、第１無線ネットワークノード２０８のノード識別子はＥ−ＵＴＲＡセル識別子から導出されてもよい。
【００５８】
方法は以下の動作のうちのひとつ以上を含む。したがって、以下の動作のうちの１つまたは複数は、オプションとすることができる。さらに、動作は、任意の適切な順序でなされてもよく、いくつかの動作が組み合わされてもよいことを理解されたい。
【００５９】
動作３０１
ある実施の形態では、第１無線ネットワークノード２０８は、第２無線ネットワークノード２１０のＴＮＬアドレスを求める要求を、無線通信ネットワーク２００内で動作している第１コアネットワークノード２０４に、送信する。第２無線ネットワークノード２１０は、第１コアネットワークノード３０４との通信インタフェースを有してもよい。通信インタフェースは、Ｓ１−ＭＭＥインタフェースまたはＡＭＦインタフェースであってもよい。これは以下でより詳細に説明される第１の例示的なアプローチに関連し得る。そこでは、第１コアネットワークノード２０４への制御プレーン接続性を欠く第２ネットワークノード２１０が第１コアネットワークノード２０４への制御プレーン接続性を確立した。例えば、これは、第２ネットワークノード２１０が制御プレーン接続性を欠くｇＮＢであり、ｇＮＢが第１コアネットワークノード２０４への制御プレーン接続性を確立するように構成されている場合であり得る。ｇＮＢの設定は、第２無線ネットワークノード２１０のＴＮＬアドレスを求める要求が送信される前に行われてもよい。
【００６０】
ある実施の形態では、第１無線ネットワークノード２０８は、インターコアネットワークインターシステム（インターＣＮインターシステム）インタフェースを介して、第１コアネットワークノード２０４に、第２無線ネットワークノード２１０のＴＮＬアドレスを求める要求を送信する。これは、以下でより詳細に説明される第３の例示的なアプローチに関連し得る。
【００６１】
動作３０２
ある実施の形態では、第１無線ネットワークノード２０８は、第２無線ネットワークノード２１０のＴＮＬアドレスを求める要求を、無線通信ネットワーク２００内でプロキシノードとして働いてる他の第１無線ネットワークノード２０８に、送信する。これは、以下でより詳細に説明される第２の例示的なアプローチに関連し得る。他の第１無線ネットワークノード２０８は、この開示では第２の第１無線ネットワークノード２０８と呼ばれることがある。そのような場合、第１無線ネットワークノード２０８は、第１の第１無線ネットワークノード２０８と呼ばれることがある。さらに、他の第１無線ネットワークノード２０８は、１つまたは複数のＥ−ＵＴＲＡリソースを提供するように構成される。
【００６２】
動作３０３
ある実施の形態では、第１無線ネットワークノード２０８は、第２無線ネットワークノード２１０によって報知されているＴＮＬアドレスを中継するよう求める要求を、通信ネットワーク２００内で動作しており第１無線ネットワークノード２０８によって担当されている無線デバイス２１２に、送信する。これは、以下でより詳細に説明される第４の例示的なアプローチに関連し得る。
【００６３】
動作３０４
ある実施の形態では、第１無線ネットワークノード２０８は、第２無線ネットワークノード２１０のセル識別およびノード識別に関する情報を報告するよう求める要求を、通信ネットワーク２００内で動作しており第１無線ネットワークノード２０８によって担当されている無線デバイス２１２に、送信する。これは、以下でより詳細に説明される第５の例示的なアプローチに関連し得る。
【００６４】
動作３０５
第１無線ネットワークノード２０８は、第２無線ネットワークノード２１０のＴＮＬアドレスを取得する。
【００６５】
ある実施の形態では、第１無線ネットワークノード２０８は、第１コアネットワークノード２０４から、第２無線ネットワークノード２１０のＴＮＬアドレスを受信する。動作３０１で説明したように、これは、第１無線ネットワークノード２０８が第２無線ネットワークノード２１０のＴＮＬアドレスを求める要求を第１コアネットワークノード２０４に送信した場合であり得る。したがって、これは、以下でより詳細に説明される第１の例示的なアプローチに関連し得る。
【００６６】
ある実施の形態では、第１無線ネットワークノード２０８は、無線通信ネットワーク２００においてプロキシノードとして働いている他の第１無線ネットワークノード２０８から、第２無線ネットワークノード２１０のＴＮＬアドレスを受信する。動作３０２で説明したように、これは、第１無線ネットワークノード２０８が他の第１無線ネットワークノード２０８にＴＮＬアドレスを求める要求を送信した場合であり得る。したがって、これは、以下でより詳細に説明される第２の例示的なアプローチに関連し得る。
【００６７】
ある実施の形態では、第１無線ネットワークノード２０８は、第１コアネットワークノード２０４および第２コアネットワークノード２０６のうちのひとつから、第２無線ネットワークノード２１０のＴＮＬアドレスを受信する。これは、以下で説明される第３の例示的なアプローチに関連し得る。
【００６８】
ある実施の形態では、第１無線ネットワークノード２０８は、第２無線ネットワークノード２１０の報知されたＴＮＬアドレスを、無線デバイス２１２から、受信する。動作３０３で上述されたように、これは、第１無線ネットワークノード２０８が、第２無線ネットワークノード２１０によって報知されているＴＮＬアドレスを中継するよう求める要求を、通信ネットワーク２００内で動作しており第１無線ネットワークノード２０８によって担当されている無線デバイス２１２に、送信した場合でありうる。したがって、これは、以下でより詳細に説明される第４の例示的なアプローチに関連し得る。
【００６９】
ある実施の形態では、第１無線ネットワークノード２０８は、第２無線ネットワークノード２１０のセル識別およびノード識別に関する情報を、無線デバイス２１２から、受信する。動作３０４で上述されたように、これは、第１無線ネットワークノード２０８が、第２無線ネットワークノード２１０のセル識別およびノード識別に関する情報を報告するよう求める要求を、通信ネットワーク２００内で動作しており第１無線ネットワークノード２０８によって担当されている無線デバイス２１２に、送信した場合でありうる。したがって、これは、以下でより詳細に説明される第５の例示的なアプローチに関連し得る。ある実施の形態では、第１無線ネットワークノード２０８は、第２無線ネットワークノード２１０のＴＮＬアドレスを、受信した情報に基づいて、決定する。
【００７０】
動作３０６
いくつかの実施の形態では、第１無線ネットワークノード２０８は第１無線ネットワークノード２０８と第２無線ネットワークノード２１０との間の通信インタフェース、例えばＸｘ−Ｃインタフェース、を確立する。これは、受信したＴＮＬアドレスに基づいて行うことができる。これにより、Ｅ−ＵＴＲＡリソースを提供する第１無線ネットワークノード２０８と、ＮＲリソースを提供する第２無線ネットワークノード２１０との間の接続性が確立される。したがって、通信インタフェースは、第１無線ネットワークノード２０８と第２無線ネットワークノード２１０との間の直接通信を可能にする。前述のように、「Ｘｘインタフェース」、「Ｘｘアドレス」および同様の参照は限定するものと解釈されるべきではなく、２つの無線ネットワークノード間、例えば、第１無線ネットワークノード２０８と第２無線ネットワークノード２１０との間、のインタフェースを指す、またはそれに関連するものと解釈されるべきである。Ｘｘ−Ｃインタフェースの代わりにＸ２−Ｃインタフェースという表現を使用できることも理解されたい。
【００７１】
第１無線ネットワークノードと第２無線ネットワークノード２１０との間の通信インタフェースを確立するための方法を実行するために、第１無線ネットワークノード２０８は図４に示す構成に従って構成されてもよい。既述の通り、第２無線ネットワークノード２１０は、第１コアネットワークノード２０４との制御プレーン接続を欠くｇＮＢであってもよい。上述の通り、第１無線ネットワークノード２０８および第２無線ネットワークノード２１０は無線通信ネットワーク２００内で動作するよう構成される。
【００７２】
いくつかの実施の形態では、第１無線ネットワークノード２０８は、１つまたは複数の無線デバイス、例えば、無線デバイス２１２、１つまたは複数の無線ネットワークノード、例えば、１つまたは複数の他の第１無線ネットワークノード２０８および／または１つまたは複数の第２ネットワークノード、例えば、第２無線ネットワークノード２１０、および／または１つまたは複数のコアネットワークノード、例えば、第１コアネットワークノード２０４および／または第２コアネットワークノード２０６、と通信するように構成された入力および／または出力インタフェース４００を備える。入力および／または出力インタフェース４００は、無線受信器（図示せず）および無線送信器（図示せず）を備えることができる。
【００７３】
第１無線ネットワークノード２０８は、受信するように構成された受信モジュール４０１によって、１つまたは複数の無線ネットワークノードから、例えば、１つまたは複数の他の第１無線ネットワークノード２０８および／または１つまたは複数の第２ネットワークノード、例えば、第２無線ネットワークノード２１０、１つまたは複数の無線デバイス、例えば、無線デバイス２１２、および／または１つまたは複数のコアネットワークノード、例えば、第１コアネットワークノード２０４および／または第２コアネットワークノード２０６から、伝送、例えば、データパケット、信号または情報、を受信するように構成される。受信モジュール４０１は、第１無線ネットワークノード２０８のプロセッサ４０７によって実装されてもよく、またはプロセッサ４０７と通信するように構成されてもよい。プロセッサ４０７については、以下でより詳細に説明する。
【００７４】
第１無線ネットワークノード２０８は、第２無線ネットワークノード２１０のＴＮＬアドレスを受信するよう構成される。
【００７５】
ある実施の形態では、第１無線ネットワークノード２０８は、無線通信ネットワーク２００において動作するよう構成された第１コアネットワークノード２０４から、第２無線ネットワークノード２１０のＴＮＬアドレスを受信するよう構成される。既述の通り、これは、以下でより詳細に説明される第１の例示的なアプローチに関連し得る。
【００７６】
ある実施の形態では、第１無線ネットワークノード２０８は、無線通信ネットワーク２００においてプロキシノードとして働いている他の第１無線ネットワークノード２０８から、第２無線ネットワークノード２１０のＴＮＬアドレスを受信するよう構成される。既述の通り、これは、以下でより詳細に説明される第２の例示的なアプローチに関連し得る。
【００７７】
ある実施の形態では、第１無線ネットワークノード２０８は、第１コアネットワークノード２０４および第２コアネットワークノード２０６のうちのひとつから、第２無線ネットワークノード２１０のＴＮＬアドレスを受信するよう構成される。既述の通り、これは、以下でより詳細に説明される第３の例示的なアプローチに関連し得る。
【００７８】
ある実施の形態では、第１無線ネットワークノード２０８は、第２無線ネットワークノード２１０の報知されたＴＮＬアドレスを、無線デバイス２１２から、受信するよう構成される。既述の通り、これは、以下でより詳細に説明される第４の例示的なアプローチに関連し得る。
【００７９】
ある実施の形態では、第１無線ネットワークノード２０８は、第２無線ネットワークノード２１０のセル識別およびノード識別に関する情報を、無線デバイス２１２から、受信するよう構成される。既述の通り、動作３０４で上述されたように、これは、第１無線ネットワークノード２０８が、第２無線ネットワークノード２１０のセル識別およびノード識別に関する情報を報告するよう求める要求を、通信ネットワーク２００内で動作しており第１無線ネットワークノード２０８によって担当されている無線デバイス２１２に、送信した場合でありうる。したがって、これは、以下でより詳細に説明される第５の例示的なアプローチに関連し得る。ある実施の形態では、第１無線ネットワークノード２０８は、第２無線ネットワークノード２１０のＴＮＬアドレスを、受信した情報に基づいて、決定する。
【００８０】
第１無線ネットワークノード２０８は、送信するように構成された送信モジュール４０２によって、１つまたは複数の無線ネットワークノードへ、例えば、１つまたは複数の他の第１無線ネットワークノード２０８および／または１つまたは複数の第２ネットワークノード、例えば、第２無線ネットワークノード２１０、１つまたは複数の無線デバイス、例えば、無線デバイス２１２、および／または１つまたは複数のコアネットワークノード、例えば、第１コアネットワークノード２０４および／または第２コアネットワークノード２０６へ、伝送、例えば、データパケット、信号または情報、を送信するように構成される。送信モジュール４０２は、第１無線ネットワークノード２０８のプロセッサ４０７によって実装されてもよく、またはプロセッサ４０７と通信するように構成されてもよい。
【００８１】
第１無線ネットワークノード２０８は、第２無線ネットワークノード２１０のＴＮＬアドレスを求める要求を送信するよう構成されてもよい。
【００８２】
ある実施の形態では、第１無線ネットワークノード２０８は、第１コアネットワークノード２０４との通信インタフェースを有する第２無線ネットワークノード２１０のＴＮＬアドレスを求める要求を、第１コアネットワークノード２０４に、送信するよう構成される。既述の通り、これは、以下でより詳細に説明される第１の例示的なアプローチに関連し得る。
【００８３】
ある実施の形態では、第１無線ネットワークノード２０８は、第２無線ネットワークノード２１０のＴＮＬアドレスを求める要求を、無線通信ネットワーク２００内でプロキシノードとして働いてる他の第１無線ネットワークノード２０８に、送信するよう構成される。既述の通り、これは、以下でより詳細に説明される第２の例示的なアプローチに関連し得る。
【００８４】
ある実施の形態では、第１無線ネットワークノード２０８は、インターＣＮインターシステムインタフェースを介して、第１コアネットワークノード２０４に、第２無線ネットワークノード２１０のＴＮＬアドレスを求める要求を送信するよう構成される。これは、以下で説明される第３の例示的なアプローチに関連し得る。
【００８５】
ある実施の形態では、第１無線ネットワークノード２０８は、第２無線ネットワークノード２１０によって報知されているＴＮＬアドレスを中継するよう求める要求を、通信ネットワーク２００内で動作しており第１無線ネットワークノード２０８によって担当されている無線デバイス２１２に、送信するよう構成される。既述の通り、これは、以下でより詳細に説明される第４の例示的なアプローチに関連し得る。
【００８６】
ある実施の形態では、第１無線ネットワークノード２０８は、第２無線ネットワークノード２１０のセル識別およびノード識別に関する情報を報告するよう求める要求を、通信ネットワーク２００内で動作しており第１無線ネットワークノード２０８によって担当されている無線デバイス２１２に、送信するよう構成される。既述の通り、これは、以下でより詳細に説明される第５の例示的なアプローチに関連し得る。
【００８７】
第１無線ネットワークノード２０８は、取得するよう構成された取得モジュール４０３によって、第２無線ネットワークノード２１０のＴＮＬアドレスを取得するよう構成されてもよい。取得モジュール４０３は、第１無線ネットワークノード２０８のプロセッサ４０７によって実装されてもよく、またはプロセッサ４０７と通信するように構成されてもよい。
【００８８】
上述の通り、第１無線ネットワークノード２０８は、第１コアネットワークノード２０４および他の第１無線ネットワークノード２０８のうちのひとつから受信することによって、第２無線ネットワークノード２０１のＴＮＬアドレスを取得するよう構成されてもよい。さらに、やはり前述したように、無線ネットワークノード２０８は、無線デバイス２１２からＴＮＬアドレスを受信することによって、ＴＮＬアドレスを取得するように構成され得る。さらに、また前述したように、無線ネットワークノード２０８は、セル識別およびノード識別に関する受信情報に基づいて決定することによって、ＴＮＬアドレスを取得するように構成され得る。
【００８９】
第１無線ネットワークノード２０８は、決定するよう構成された決定モジュール４０４によって、第２無線ネットワークノード２１０のＴＮＬアドレスを決定するよう構成されてもよい。決定モジュール４０４は、第１無線ネットワークノード２０８のプロセッサ４０７によって実装されてもよく、またはプロセッサ４０７と通信するように構成されてもよい。
【００９０】
第１無線ネットワークノード２０８は、セル識別およびノード識別に関する受信情報に基づいて、第２無線ネットワークノード２１０のＴＮＬアドレスを決定するように構成され得る。
【００９１】
第１無線ネットワークノード２０８は、確立するよう構成された確立モジュール４０５によって、第１および第２無線ネットワークノード２０８、２１０間の通信インタフェースを確立するよう構成される。確立モジュール４０５は、第１無線ネットワークノード２０８のプロセッサ４０７によって実装されてもよく、またはプロセッサ４０７と通信するように構成されてもよい。
【００９２】
第１無線ネットワークノード２０８は、第２無線ネットワークノード２１０の取得されたＴＮＬアドレスに基づいて、通信インタフェースを確立するよう構成されてもよい。これにより、Ｅ−ＵＴＲＡリソースを提供する第１無線ネットワークノード２０８と、ＮＲリソースを提供する第２無線ネットワークノード２１０との間の接続性が確立される。したがって、通信インタフェースは、第１無線ネットワークノード２０８と第２無線ネットワークノード２１０との間の直接通信を可能にする。
【００９３】
通信インタフェースはＸｘ−Ｃインタフェースであってもよい。前述のように、「Ｘｘインタフェース」、「Ｘｘアドレス」および同様の参照は限定するものと解釈されるべきではなく、２つの無線ネットワークノード間、例えば、第１無線ネットワークノード２０８と第２無線ネットワークノード２１０との間、のインタフェースを指す、またはそれに関連するものと解釈されるべきである。Ｘｘ−Ｃインタフェースの代わりにＸ２−Ｃインタフェースという表現を使用できることも理解されたい。
【００９４】
いくつかの実施の形態では、第１無線ネットワークノード２０８は、本明細書で説明される１つまたは複数のさらなる動作を実行するように構成された１つまたは複数の他のモジュールによって実行するように構成される。ひとつ以上の他のモジュールは、第１無線ネットワークノード２０８のプロセッサ４０７によって実装されてもよく、またはプロセッサ４０７と通信するように構成されてもよい。
【００９５】
第１無線ネットワークノード２０８はまた、データを記憶するための手段を備えることができる。いくつかの実施の形態では、第１無線ネットワークノード２０８はデータを記憶するように構成されたメモリ４０６を備える。データは、処理された又は処理されていないデータ及び／又はそれに関連する情報であってもよい。メモリ４０６は、１つまたは複数のメモリユニットを備えることができる。さらに、メモリ４０６は、コンピュータデータストレージ、またはコンピュータメモリ、読取り専用メモリ、揮発性メモリ、または不揮発性メモリなどの半導体メモリ、とすることができる。メモリは、第１無線ネットワークノード２０８において実行されるときに本明細書の方法を実行するための、取得された情報、データ、設定、およびアプリケーションなどを格納するために使用されるよう構成される。
【００９６】
第１無線ネットワークノード１０８と第２無線ネットワークノード２１０との間の通信インタフェースを確立するための本明細書の実施の形態は、本明細書の実施の形態の機能および／または方法、動作を実行するためのコンピュータプログラムコードとともに、図４に示される構成のプロセッサ４０７などの１つまたは複数のプロセッサを介して実装され得る。上述のプログラムコードは例えば、第１無線ネットワークノード２０８にロードされたときに本明細書の実施の形態を実行するためのコンピュータプログラムコードを搬送するデータキャリアの形態で、コンピュータプログラム製品として提供されてもよい。そのようなキャリアのひとつは、電気信号、光信号、無線信号、またはコンピュータ可読保持媒体の形態であってもよい。コンピュータ可読ストレージは、ＣＤ  ＲＯＭディスクまたはメモリスティックであってもよい。
【００９７】
コンピュータプログラムコードはさらに、サーバに記憶されたプログラムコードとして提供され、第１無線ネットワークノード２０８にダウンロードされてもよい。
【００９８】
当業者はまた、上記の入力／出力インタフェース４００、受信モジュール４０１、送信モジュール４０２、取得モジュール４０３、決定モジュール４０４、確立モジュール４０５、および１つまたは複数の他のモジュールが、アナログおよびデジタル回路の組み合せ、および／または、例えばメモリ４０６に記憶されたソフトウェアおよび／またはファームウェアで構成された１つまたは複数のプロセッサを指すものと理解するのであろう、また、そのようなソフトウエアおよび／またはファームウエアは、第１無線ネットワークノード２０８内のプロセッサなどの１つまたは複数のプロセッサによって実行されるときに、上記を実行する。これらのプロセッサのうちの１つまたは複数、ならびに他のデジタルハードウェアは、単一の特定用途向け集積回路（ＡＳＩＣ）に含めることができ、または、個々にパッケージされているか、システムオンチップ（ＳｏＣ）にアセンブルされているかにかかわらず、いくつかのプロセッサおよび各種デジタルハードウェアをいくつかの別個のコンポーネントの間で分散させることができる。
【００９９】
第１無線ネットワークノード２０８と第２無線ネットワークノード２１０との間の通信インタフェースの確立を可能にするために、第２無線ネットワークノード２０８によって実行される、そのＴＮＬアドレスを第１無線ネットワークノード２０８に提供するための方法の例を、図５に示されるフローチャートを参照してここで説明する。既述の通り、第１無線ネットワークノード２０８はひとつ以上のＥ−ＵＴＲＡリソースを提供するよう構成され、第２無線ネットワークノード２１０はひとつ以上のＮＲリソースを提供するように構成される。第２無線ネットワークノード２１０は、無線通信ネットワーク２００において動作している第１コアネットワークノード２０４との制御プレーン接続を欠くｇＮＢであってもよい。また、上述の通り、第１無線ネットワークノード２０８および第２無線ネットワークノード２１０は無線通信ネットワーク２００内で動作する。
【０１００】
方法は以下の動作のうちのひとつ以上を含む。したがって、以下の動作のうちの１つまたは複数は、オプションとすることができる。さらに、動作は、任意の適切な順序でなされてもよく、いくつかの動作が組み合わされてもよいことを理解されたい。
【０１０１】
動作５０１
ある実施の形態では、制御プレーン接続を欠く第２無線ネットワークノード２１０は、第１コアネットワークノード２０４とのＳ１−ＭＭＥインタフェースを確立する。それにより、第２無線ネットワークノード２１０は、第１コアネットワークノード２０４との制御プレーン接続を有するであろう。
【０１０２】
第２無線ネットワークノード２１０は、ストリームコントロールトランスミッションプロトコル、ＳＣＴＰ、関連付け手順を開始し、かつ、Ｓ１−ＭＭＥ手順を発行／初期化することによって、第１コアネットワークノード２０４とのＳ１−ＭＭＥインタフェースを確立することができる。これは、以下でより詳細に説明される第１の例示的なアプローチに関連し得る。
【０１０３】
ある実施の形態では、第２無線ネットワークノード２１０は、無線通信ネットワーク２００内でプロキシノードとして働いている他の第１無線ネットワークノード２０８とのＸｘ−Ｃインタフェースを確立し、ここで、他の第１無線ネットワークノード２０８がひとつ以上のＥ−ＵＴＲＡリソースを提供するよう構成される。これは、以下でより詳細に説明される第２の例示的なアプローチに関連し得る。
【０１０４】
ある実施の形態では、第２無線ネットワークノード２１０は、第１コアネットワークノード２０４とのインターＣＮインターシステムインタフェースを確立する。これは、以下でより詳細に説明される第３の例示的なアプローチに関連し得る。
【０１０５】
動作５０２
いくつかの実施の形態では、第２無線ネットワークノード２１０は第１コアネットワークノード２０４から、そのＴＮＬアドレスを求める要求を受信する。これは、以下でより詳細に説明される第１の例示的なアプローチに関連し得る。
【０１０６】
動作５０３
第２無線ネットワークノード２１０は、無線通信ネットワーク２００内で動作する第１コアネットワークノード２０４と、無線通信ネットワーク２００内でプロキシノードとして働いている別の第１無線ネットワークノード２０８とのうちのひとつにＴＮＬアドレスを提供する。
【０１０７】
ある実施の形態では、第２無線ネットワークノード２１０は、第１コアネットワークノード２０４にＴＮＬアドレスを送信することによって、ＴＮＬアドレスを提供する。これは、上記の動作５０１で確立された通信インタフェース、例えばＳ１−ＭＭＥインタフェースを介して実行されてもよく、以下でより詳細に説明される第１の例示的なアプローチに関連してもよい。
【０１０８】
いくつかの実施の形態では、上記の動作５０１で説明したように、第２無線ネットワークノード２１０は、ＴＮＬアドレスを、確立されたＸｘ−Ｃインタフェースを介して、プロキシノードとして働いている別の第１無線ネットワークノード２０８に送信することによって、ＴＮＬアドレスを提供する。これは、以下でより詳細に説明される第２の例示的なアプローチに関連し得る。
【０１０９】
いくつかの実施の形態では、動作５０１で上述したように、第２無線ネットワークノード２１０は、第１コアネットワークノード２０４に対して確立されたインターＣＮインターシステムインタフェースを介して、ＴＮＬアドレスを、第１コアネットワークノード２０４に、送信することによって、ＴＮＬアドレスを提供する。これは、以下でより詳細に説明される第３の例示的なアプローチに関連し得る。
【０１１０】
ある実施の形態では、第２無線ネットワークノード２１０は、ＴＮＬアドレスを報知することによって、ＴＮＬアドレスを提供する。これは、以下でより詳細に説明される第４の例示的なアプローチに関連し得る。
【０１１１】
ある実施の形態では、第２無線ネットワークノード２１０は、第２無線ネットワークノード２１０のセル識別およびノード識別に関する情報を送信することによって、ＴＮＬアドレスを提供し、ここで、セル識別およびノード識別が第２無線ネットワークノード２１０のＴＮＬアドレスを提供する。これは、以下でより詳細に説明される第５の例示的なアプローチに関連し得る。
【０１１２】
第１無線ネットワークノード２０８と第２無線ネットワークノード２１０との間の通信インタフェースの確立を可能とするために第２無線ネットワークノード２１０のＴＮＬアドレスを提供する方法を実行するために、第２無線ネットワークノード２１０は図６に示す構成に従って構成されてもよい。既述の通り、第１無線ネットワークノード２０８はひとつ以上のＥ−ＵＴＲＡリソースを提供するよう構成され、第２無線ネットワークノード２１０はひとつ以上のＮＲリソースを提供するように構成される。また、既述の通り、第２無線ネットワークノード２１０は、第１コアネットワークノード２０４との制御プレーン接続を欠くｇＮＢであってもよい。さらに、第１無線ネットワークノード２０８および第２無線ネットワークノード２１０は無線通信ネットワーク２００内で動作するよう構成される。
【０１１３】
いくつかの実施の形態では、第２無線ネットワークノード２１０は、１つまたは複数の無線デバイス、例えば、無線デバイス２１２、１つまたは複数の無線ネットワークノード、例えば、１つまたは複数の第１無線ネットワークノード２０８および／または１つまたは複数の他の第２ネットワークノード２１０、および／または１つまたは複数のコアネットワークノード、例えば、第１コアネットワークノード２０４および／または第２コアネットワークノード２０６、と通信するように構成された入力および／または出力インタフェース６００を備える。入力および／または出力インタフェース６００は、無線受信器（図示せず）および無線送信器（図示せず）を備えることができる。
【０１１４】
第２無線ネットワークノード２１０は、受信するように構成された受信モジュール６０１によって、１つまたは複数の無線ネットワークノードから、例えば、１つまたは複数の第１無線ネットワークノード２０８および／または１つまたは複数の他の第２ネットワークノード２１０、１つまたは複数の無線デバイス、例えば、無線デバイス２１２、および／または１つまたは複数のコアネットワークノード、例えば、第１コアネットワークノード２０４および／または第２コアネットワークノード２０６から、伝送、例えば、データパケット、信号または情報、を受信するように構成される。受信モジュール６０１は、第２無線ネットワークノード２１０のプロセッサ６０６によって実装されてもよく、またはプロセッサ６０６と通信するように構成されてもよい。プロセッサ６０７については、以下でより詳細に説明する。
【０１１５】
いくつかの実施の形態では、第２無線ネットワークノード２１０は第１コアネットワークノード２０４から、そのＴＮＬアドレスを求める要求を受信するよう構成される。既述の通り、これは、以下でより詳細に説明される第１または第３の例示的なアプローチに関連し得る。
【０１１６】
第２無線ネットワークノード２１０は、送信するように構成された送信モジュール６０２によって、１つまたは複数の無線ネットワークノードへ、例えば、１つまたは複数の第１無線ネットワークノード２０８および／または１つまたは複数の他の第２ネットワークノード２１０、１つまたは複数の無線デバイス、例えば、無線デバイス２１２、および／または１つまたは複数のコアネットワークノード、例えば、第１コアネットワークノード２０４および／または第２コアネットワークノード２０６へ、伝送、例えば、データパケット、信号または情報、を送信するように構成される。送信モジュール６０２は、第２無線ネットワークノード２１０のプロセッサ６０６によって実装されてもよく、またはプロセッサ６０６と通信するように構成されてもよい。
【０１１７】
ある実施の形態では、第２無線ネットワークノード２１０は、第１コアネットワークノード２０４に対して確立された通信インタフェースを介して、ＴＮＬアドレスを、第１コアネットワークノード２０４に、送信するよう構成される。既述の通り、これは、以下でより詳細に説明される第１の例示的なアプローチに関連し得る。
【０１１８】
ある実施の形態では、第２無線ネットワークノード２１０は、ＴＮＬアドレスを、プロキシノードとして働いている他の第１無線ネットワークノード２０８に、送信するよう構成される。これは、他の第１無線ネットワークノード２０８に対して確立されたＸｘ−Ｃインタフェースを介して行うことができる。既述の通り、これは、以下でより詳細に説明される第２の例示的なアプローチに関連し得る。
【０１１９】
ある実施の形態では、第２無線ネットワークノード２１０は、第１コアネットワークノード２０４に対して確立されたインターＣＮインターシステムインタフェースを介して、ＴＮＬアドレスを、第１コアネットワークノード２０４に、送信するよう構成される。既述の通り、これは、以下でより詳細に説明される第３の例示的なアプローチに関連し得る。
第２無線ネットワークノード２１０は、確立するように構成された確立モジュール６０３によって、第１無線ネットワークノード２０８と第２無線ネットワークノード２１０との間、および／または第２無線ネットワークノード２１０とコアネットワークノード、例えば第１コアネットワークノード２０４および／または第２コアネットワークノード２０６との間の通信インタフェースを確立するように構成される。確立モジュール６０３は、第２無線ネットワークノード２１０のプロセッサ６０６によって実装されてもよく、またはプロセッサ６０６と通信するように構成されてもよい。
【０１２０】
ある実施の形態では、第２無線ネットワークノード２１０は、第１コアネットワークノード２０４とのＳ１−ＭＭＥインタフェースを確立するよう構成される。第２無線ネットワークノード２１０は、ストリームコントロールトランスミッションプロトコル、ＳＣＴＰ、関連付け手順を開始し、かつ、Ｓ１−ＭＭＥ手順を発行／初期化することによって、第１コアネットワークノード２０４とのＳ１−ＭＭＥインタフェースを確立するよう構成されてもよい。既述の通り、これは、以下でより詳細に説明される第１の例示的なアプローチに関連し得る。
【０１２１】
ある実施の形態では、既述の通り、第２無線ネットワークノード２１０は、他の第１無線ネットワークノード２０８とのＸｘ−Ｃインタフェースを確立するよう構成される。既述の通り、これは、以下でより詳細に説明される第２の例示的なアプローチに関連し得る。
ある実施の形態では、既述の通り、第２無線ネットワークノード２１０は、第１コアネットワークノード２０４とのインターＣＮインターシステムインタフェースを確立するよう構成される。既述の通り、これは、以下でより詳細に説明される第３の例示的なアプローチに関連し得る。
【０１２２】
第２無線ネットワークノード２１０は、提供するよう構成された提供モジュール６０４によって、第２無線ネットワークノード２１０のＴＮＬアドレスを提供するよう構成されてもよい。提供モジュール６０４は、第２無線ネットワークノード２１０のプロセッサ６０６によって実装されてもよく、またはプロセッサ６０６と通信するように構成されてもよい。
【０１２３】
第２無線ネットワークノード２１０は、ＴＮＬアドレスを提供するよう構成される。
【０１２４】
ある実施の形態では、第２無線ネットワークノード２１０は、第１コアネットワークノード２０４にＴＮＬアドレスを送信することによって、ＴＮＬアドレスを提供するよう構成される。これは、以下でより詳細に説明される第１または第３の例示的なアプローチに関連し得る。
【０１２５】
ある実施の形態では、第２無線ネットワークノード２１０は、他の第１無線ネットワークノード２０８にＴＮＬアドレスを送信することによって、ＴＮＬアドレスを提供するよう構成される。既述の通り、これは、以下でより詳細に説明される第２の例示的なアプローチに関連し得る。
【０１２６】
ある実施の形態では、第２無線ネットワークノード２１０は、ＴＮＬアドレスを報知することによって、ＴＮＬアドレスを提供するよう構成される。既述の通り、これは、以下でより詳細に説明される第４の例示的なアプローチに関連し得る。
【０１２７】
ある実施の形態では、第２無線ネットワークノード２１０は、第２無線ネットワークノード２１０のセル識別およびノード識別に関する情報を送信することによって、ＴＮＬアドレスを提供し、ここで、セル識別およびノード識別が第２無線ネットワークノード２１０のＴＮＬアドレスを提供するよう構成される。既述の通り、これは、以下でより詳細に説明される第５の例示的なアプローチに関連し得る。
【０１２８】
いくつかの実施の形態では、第１無線ネットワークノード２０８は、本明細書で説明される１つまたは複数のさらなる動作を実行するように構成された１つまたは複数の他のモジュールによって実行するように構成される。ひとつ以上の他のモジュールは、第２無線ネットワークノード２１０のプロセッサ６０６によって実装されてもよく、またはプロセッサ６０６と通信するように構成されてもよい。
【０１２９】
第２無線ネットワークノード２１０はまた、データを記憶するための手段を備えることができる。いくつかの実施の形態では、第２無線ネットワークノード２１０はデータを記憶するように構成されたメモリ６０５を備える。データは、処理された又は処理されていないデータ及び／又はそれに関連する情報であってもよい。メモリ６０５は、１つまたは複数のメモリユニットを備えることができる。さらに、メモリ６０５は、コンピュータデータストレージ、またはコンピュータメモリ、読取り専用メモリ、揮発性メモリ、または不揮発性メモリなどの半導体メモリ、とすることができる。メモリは、第２無線ネットワークノード２１０において実行されるときに本明細書の方法を実行するための、取得された情報、データ、設定、およびアプリケーションなどを格納するために使用されるよう構成される。
【０１３０】
第１無線ネットワークノード２０８と第２無線ネットワークノード２１０との間の通信インタフェースの確立を可能とするために、第２無線ネットワークノード２１０のＴＮＬアドレスを提供するための本明細書の実施の形態は、本明細書の実施の形態の機能および／または方法、動作を実行するためのコンピュータプログラムコードとともに、図６に示される構成のプロセッサ６０６などの１つまたは複数のプロセッサを介して実装され得る。上述のプログラムコードは例えば、第２無線ネットワークノード２１０にロードされたときに本明細書の実施の形態を実行するためのコンピュータプログラムコードを搬送するデータキャリアの形態で、コンピュータプログラム製品として提供されてもよい。そのようなキャリアのひとつは、電気信号、光信号、無線信号、またはコンピュータ可読保持媒体の形態であってもよい。コンピュータ可読ストレージは、ＣＤ  ＲＯＭディスクまたはメモリスティックであってもよい。
【０１３１】
コンピュータプログラムコードはさらに、サーバに記憶されたプログラムコードとして提供され、第２無線ネットワークノード２１０にダウンロードされてもよい。
【０１３２】
当業者はまた、上記の入力／出力インタフェース６００、受信モジュール６０１、送信モジュール６０２、確立モジュール６０３、提供モジュール６０４、および１つまたは複数の他のモジュールが、アナログおよびデジタル回路の組み合せ、および／または、例えばメモリ６０５に記憶されたソフトウェアおよび／またはファームウェアで構成された１つまたは複数のプロセッサを指すものと理解するのであろう、また、そのようなソフトウエアおよび／またはファームウエアは、第２無線ネットワークノード２１０内のプロセッサなどの１つまたは複数のプロセッサによって実行されるときに、上記を実行する。これらのプロセッサのうちの１つまたは複数、ならびに他のデジタルハードウェアは、単一の特定用途向け集積回路（ＡＳＩＣ）に含めることができ、または、個々にパッケージされているか、システムオンチップ（ＳｏＣ）にアセンブルされているかにかかわらず、いくつかのプロセッサおよび各種デジタルハードウェアをいくつかの別個のコンポーネントの間で分散させることができる。
【０１３３】
本明細書で開示されるいくつかの実施の形態は、以下の例示的なアプローチのうちの１つまたは複数に基づくか、またはそれらを含む。このアプローチは、無線ネットワークノード、例えば第２無線ネットワークノード２１０のＴＮＬアドレスの発見と、２つの無線ネットワークノード間、例えば第１無線ネットワークノード２０８と第２無線ネットワークノード２１０との間のインタフェースの確立と、に関する。したがって、以下に示す例は、前述の動作および特徴に関する。以下の説明では、第１コアネットワークノード２０４としてＭＭＥを参照する場合がある。しかしながら、前述したように、第１コアネットワークノード２０４はＡＭＦであってもよい。したがって、以下の説明は、第１コアネットワークノード２０４がＡＭＦである実施の形態にも等しく適用可能であることを理解されたい。
【０１３４】
第１の例示的アプローチ
第１の例示的な手法では、第２無線ネットワークノード２１０、例えば、ｇＮＢ、はストリームコントロールトランスミッションプロトコル（ＳＣＴＰ）関連付けを開始することによって、およびＳ１−ＭＭＥインタフェースインスタンスをセットアップするためにＳ１−ＭＭＥ手順を発行することによって、第１コアネットワークノード２０４への通信インタフェース、例えば、Ｓ１−ＭＭＥインタフェースまたはＡＭＦインタフェース、をセットアップすることができる。
【０１３５】
ＳＣＴＰはインターネットエンジニアリングタスクフォース（ＩＥＴＦ）によって定義された信頼できるトランスポートレイヤプロトコルであり、インターネットプロトコル（ＩＰ）などのコネクションレスパケットネットワーク上で動作する。ＳＣＴＰは、信頼性のある、重複しないメッセージ配信を保証する。さらに、それは、複数のストリームを処理することができ、マルチホーミングのサポートを介してネットワークレベルの障害を許容する。ＳＣＴＰの設計はまた、輻輳回避と、フラッディング攻撃および偽装攻撃に対する抵抗とを含む。
【０１３６】
それぞれのＳ１−ＭＭＥプロトコル機能は、既存のＳ１セットアップ手順の上に追加されるか、または既存のＳ１セットアップ手順と同様であるが、新しい機能として定義される。第２無線ネットワークノード２１０、例えば、ｇＮＢ、と第１コアネットワークノード２０４、例えば、ＭＭＥ、との間のＳ１−ＭＭＥインタフェースをセットアップするこのようなＳ１セットアッププロトコル機能は、第１無線ネットワークノード２０８、例えば、５Ｇ  ＲＡＮノード、と５Ｇコアネットワーク２０２、例えば、認証および移動機能（ＡＭＦ）、との間のセットアップ手順に非常に類似していることも予想される。
【０１３７】
さらに、第２無線ネットワークノード２１０、たとえば、ｇＮＢ、と、第１コアネットワークノード２０４、たとえば、ＭＭＥ、との間のそのようなＳ１セットアップ手順は、第２無線ネットワークノード、たとえば、ｇＮＢ、のノード識別子が第１無線ネットワークノード、たとえば、ＬＴＥ  ｅＮＢ、のノード識別子とは異なることを考慮に入れなければならないことがある。さらに、第２無線ネットワークノードのノード識別子はＮＲセル識別子から導出され、第１無線ネットワークノード２０８のノード識別子はＥ−ＵＴＲＡセル識別子から導出される。あるいは、新しいＮＲノード固有のアドレッシング空間が導入されない場合、レガシーｅＮＢアドレッシング空間が使用される。レガシーｅＮＢアドレッシング空間は、本明細書ではＲＡＮノードアドレッシング空間と呼ばれることがある。しかしながら、このようなアプローチの欠点はＲＡＮノードアドレッシング空間を消費すること、すなわち、既存の４Ｇ配置によって制限されることである。
【０１３８】
Ｓ１−ＭＭＥインタフェースがセットアップされ、第１無線ネットワークノード２０８、例えば、ＬＴＥ  ｅＮＢ、が第２無線ネットワークノード２１０、例えば、ｇＮＢ、からＸｘ−Ｃ  ＴＮＬアドレスを取り出すことができると、Ｘｘ−Ｃインタフェースインスタンスは第１無線ネットワークノード２０８、例えば、ＬＴＥ  ｅＮＢ、によってセットアップされ得る。例えば、第１無線ネットワークノード２０８は、第１コアネットワークノード２０４を介して、第２無線ネットワークノード２１０から間接的に、ＴＮＬアドレスを取得または受信してもよい。第１無線ネットワークノード２０８、例えば、ＬＴＥ  ｅＮＢ、と第２無線ネットワークノード２１０、例えば、ｇＮＢ、との間の各Ｘｘ−Ｃセットアップシグナリングは、第２無線ネットワークノード２１０、例えば、ｇＮＢ、からのＮＲセル情報と、第１無線ネットワークノード２０８、例えば、ＬＴＥ  ｅＮＢ、からのＥ−ＵＴＲＡセル情報と、を備える。
【０１３９】
Ｘｘ−Ｃ  ＴＮＬアドレスの取得は、ＬＴＥに既に存在するＳＯＮ設定転送手順を介して実行することができ、それによって、第１無線ネットワークノード２０８、例えばｅＮＢなどのソースＲＡＮノード、は、接続されたＭＭＥ２０４にメッセージを送信することによってＸｘ  ＴＮＬアドレスを要求することができる。次いで、ＭＭＥ２０４はそのような要求を、第２無線ネットワークノード２１０（例えば、それとの間でＸｘインタフェースを確立する必要があるｇＮＢなどのターゲットノード）に転送することができる。それへの返答において、例えばｇＮＢなどのターゲットノードなどの第２無線ネットワークノード２１０は、接続されたＭＭＥ２０４に送信された新しいメッセージを介してＸｘ  ＴＮＬアドレス情報で応答する。ＭＭＥ２０４はＸｘ−Ｃ  ＴＮＬアドレスを第１無線ネットワークノード２０８、例えば、ｅＮＢなどのソースノード、に転送する。そのような手順に使用される現在のＳ１メッセージは、ｅＮＢ設定転送メッセージおよびＭＭＥ設定転送メッセージである。この場合、同じメッセージが使用されてもよく、代替的に、１つ以上の新しいメッセージが定義されてもよい。第２無線ネットワークノード２１０のＴＮＬアドレスに基づいて、第１無線ネットワークノード２０８は第１無線ネットワークノード２０８と第２無線ネットワークノード２１０との間の通信インタフェース、例えばＸｘ−Ｃインタフェース、を確立してもよい。
【０１４０】
第１の例示的なアプローチは例えば、前述の動作３０１、３０５、３０６、５０１、５０２、および５０３に関連する。
【０１４１】
第２の例示的アプローチ
第２の例示的な手法では、他の第１無線ネットワークノード２０８、例えばＬＴＥ  ｅＮＢ、が第１無線ネットワークノード２０８との間のＭＭＥ２０４に向けてのプロキシノードとして働き、この場合、第２無線ネットワークノード２１０、例えばｇＮＢ、は、他の第１無線ネットワークノード、例えばＬＴＥ  ｅＮＢ、のＸｘ−Ｃ  ＴＮＬアドレスで設定される必要がありえ、第２無線ネットワークノード２１０、例えばｇＮＢ、がその動作を開始するとそれはこのアドレスに向けてＸｘ−Ｃインタフェースをセットアップしてもよい。プロキシＬＴＥ  ｅＮＢとして動作している他の第１無線ネットワークノード２０８はプロキシＬＴＥ  ｅＮＢとして動作せず、単にＬＴＥ  ｅＮＢとして動作する他の第１無線ネットワークノードよりも高いＸｘ−Ｃ接続性を提供する必要がある場合があるので、そのようなアプローチはあまりスケーラブルではない場合がある。さらに、そのような他の第１無線ネットワークノード２０８、たとえばプロキシＬＴＥ  ｅＮＢ、は必ずしも第２無線ネットワークノード２１０、たとえばｇＮＢ、の実際の隣接ノードではなく、他の第１無線ネットワークノード２０８がより大きな領域のためのプロキシ、すなわちプロキシノードとして働く場合がある。プロキシとして動作する２つ以上の他の第１無線ネットワークノード２０８は、冗長性の理由でインスタンス化されてもよい。プライマリプロキシノードが故障した場合、第２無線ネットワークノード２１０、例えば、ｇＮＢ、は、バックアッププロキシノードへのＸｘ−Ｃインタフェースインスタンスをセットアップすることができる。
【０１４２】
プロキシノードとして動作する他の第１無線ネットワークノード２０８は、他の第１無線ネットワークノード２０８、例えば、他のＬＴＥ  ｅＮＢ、が１つ以上の第２無線ネットワークノード２１０、例えば、１つ以上のｇＮＢ、のＴＮＬアドレス発見を実行することを可能にするために、それが接続される１つ以上のＭＭＥ２０４に接続する１つ以上の第２無線ネットワークノード、例えば、１つ以上のｇＮＢ、のＩＤを知らせる必要があり得る。Ｘｘ−Ｃ  ＴＮＬアドレスを提供するための他の第１無線ネットワークノード２０８、例えば、他のＬＴＥ  ｅＮＢ、からの要求は次に、責任のあるプロキシノードによって、要求先の第２無線ネットワークノード、例えば、ｇＮＢ、へと中継され得る。これは前述の動作３０２に関連し、動作３０５で説明したように、第１無線ネットワークノード２０８は、プロキシノードとして動作する他の第１無線ネットワークノード２０８から、第２無線ネットワークノード２１０のＴＮＬアドレスを受信することができる。第２無線ネットワークノード２１０のＴＮＬアドレスに基づいて、第１無線ネットワークノード２０８は第１無線ネットワークノード２０８と第２無線ネットワークノード２１０との間の通信インタフェース、例えばＸｘ−Ｃインタフェース、を確立してもよい。さらに、第２の例示的なアプローチは例えば、前述の動作３０６、５０１、５０３に関連する。
【０１４３】
第３の例示的アプローチ
第３の例示的アプローチでは、第１無線ネットワークノード２０８、例えば、ＬＴＥ  ｅＮＢ、はインターＣＮインターシステムインタフェースを介してＴＮＬアドレス発見を開始する。例えば、これは、コアネットワーク２０２がＮＲ／５ＧコアネットワークおよびＬＴＥコアネットワークなどの少なくとも２つのコアネットワークを備える場合であり得る。第２無線ネットワークノード２１０、例えば、ｇＮＢなどのＮＲノード、がＲＡＮ−ＣＮインタフェースインスタンスのセットアップを有してもよい責任のある５Ｇ  ＣＮノード、例えば、第１および第２コアネットワークノード２０４、２０６のうちのひとつ、は、ＴＮＬアドレス発見要求を第２無線ネットワークノード２１０、例えば、ＮＲノード、に中継することができる。これにより、第２無線ネットワークノード２１０は特定のＸｘ−Ｃ  ＴＮＬアドレスを第１無線ネットワークノード２０８、例えば、ＬＴＥ  ｅＮＢ、に返信することができる。例えば、第２無線ネットワークノード２１０は、第１コアネットワークノード２０４を介して、第１無線ネットワークノード２０８へと間接的に、ＴＮＬアドレスを提供してもよい。第２無線ネットワークノード２１０のＴＮＬアドレス、例えばＸｘ−Ｃ  ＴＮＬアドレス、に基づいて、第１無線ネットワークノード２０８は第１無線ネットワークノード２０８と第２無線ネットワークノード２１０との間の通信インタフェース、例えばＸｘ−Ｃインタフェース、を確立してもよい。
【０１４４】
ＥＰＳ、例えばＬＴＥ通信システム、と５Ｇ通信システムとの間のシステム間モビリティが可能であると仮定すると、おそらくＣＮエリア識別子、例えばトラッキングエリア識別子、によって支援されて、ＲＡＮノード識別子に基づいて、そのようなＴＮＬアドレス発見要求をルーティングするシステム全体の能力を仮定することができる。そのようなアプローチはオプション３の概念を少し拡張したものであり、理論的には、第２無線ネットワークノード２１０、例えば、ｇＮＢ、が５Ｇ  ＣＮへの接続を有さないが、オプション３がまだ配備されているが、第１コアネットワークノード２０４、例えば、ＡＭＦまたは同等のノード（例えば、５Ｇ  ＣＮの完全な機能を提供しない）に接続する可能性が既に存在するマイグレーションシナリオに対し、次いで、第２無線ネットワークノード２１０、例えば、ｇＮＢ、はそのようなインタフェースを介してＴＮＬアドレス発見を実行することができるが、他の機能を実行することはできない。
【０１４５】
第３の例示的なアプローチは例えば、前述の動作３０１、３０５、３０６、５０１、および５０３に関連する。
【０１４６】
第４の例示的アプローチ
第４の例示的アプローチでは、第２無線ネットワークノード２１０、たとえばｇＮＢ、はそのＸｘ−Ｃ  ＴＮＬアドレスを無線で報知することができ、これは、近隣の１つまたは複数の選択された第１無線ネットワークノード２０８、たとえば１つまたは複数のｅＮＢなどの１つまたは複数のＲＡＮノード、にのみ知られている暗号化鍵で暗号化されてもよい。無線デバイス２１２、例えば、ＵＥ、は報知情報を読み取ることができるが、それを解読することができないことがある。これは、Ｘｘ−Ｃ  ＴＮＬアドレスが無線デバイス２１２に見えないことを保証することができる。無線デバイス２１２は暗号化されたアドレスを、第１無線ネットワークノード２０８、たとえば、ｅＮＢなどの隣接ＲＡＮノード、に報告することができてもよく、この第１無線ネットワークノード２０８は無線デバイス２１２を担当しており、無線デバイス２１２にそのような情報を測定し、報告することを要求したものである。第１無線ネットワークノード２０８、例えば、近隣ＲＡＮノード、は、解読鍵を所有しているという事実を利用して、Ｘｘ−Ｃ  ＴＮＬアドレスを解読することができ、近隣アドレス、例えば、ｇＮＢなどの第２無線ネットワークノード２１０へのＸｘ−Ｃセットアップ手順をトリガすることができる。これにより、第１無線ネットワークノード２０８と第２無線ネットワークノード２１０との間にＸｘ−Ｃインタフェースを設定する。
【０１４７】
解読鍵はいくつかの方法で、例えば、ＯＡＭ設定を介して、取得されてもよいことに留意されたい。
【０１４８】
第４の例示的なアプローチは例えば、前述の動作３０３、３０５、３０６、５０１、および５０３に関連する。
【０１４９】
第５の例示的アプローチ
第５の例示的アプローチでは、Ｘｘ−Ｃインタフェースをセットアップする必要がある第２無線ネットワークノード２１０、例えばｇＮＢ、に隣接する第１無線ネットワークノード２０８、例えばｅＮＢなどのＲＡＮノード、は、そのようなｇＮＢセルのシステム情報を読み取ることができる１つまたは複数の無線デバイス２１２、例えば１つまたは複数のＵＥ、を担当することができる。第１無線ネットワークノード２０８、例えば、サービングノード、はＵＥに、読み取られたシステム情報（例えばセル識別子およびノード識別子などの第２無線ネットワークノード２１０（例えば、隣接ｇＮＢ）のセル情報）を報告するように要求することができる。第１無線ネットワークノード２０８、例えば、サービングｅＮＢは、データベースから情報を取り出すことができる。例えば、第１無線ネットワークノード２０８はローカルデータベースに接続し、そのようなデータベースに、第２無線ネットワークノード２１０、例えば、近隣ｇＮＢ、のサービングＵＥによって報告された識別子を送信することができる。ローカルデータベースは識別子をＸｘ−Ｃ  ＴＮＬアドレスにマッピングし、Ｘｘ−Ｃ  ＴＮＬアドレスを第１無線ネットワークノード、例えばｅＮＢ、に返すことができる。次に、第１無線ネットワークノード２０８、例えばｅＮＢは、受信したＸｘ−Ｃ  ＴＮＬアドレスに向けてＸｘ−Ｃセットアップ手順をトリガすることができる。これにより、第１無線ネットワークノード２０８と第２無線ネットワークノード２１０との間にＸｘ−Ｃインタフェースを設定する。
【０１５０】
第５の例示的なアプローチは例えば、前述の動作３０４、３０５、３０６、５０１、および５０３に関連する。
【０１５１】
略記  説明
ＡＭＦ  認証および移動機能
ＡＮＲ  自動隣接関係
ＣＮ  コアネットワーク
ＣＰ  制御プレーン
ＥＰＳ  エバルブドパケットシステム
ｇＮＢ  ５Ｇ  ＲＡＮ論理ノード
ＭＭＥ  モビリティマネジメントエンティティ
ＭＳＢ  最上位ビット
ＲＡＮ  無線アクセスネットワーク
Ｓ−ＧＷ  サービングゲートウエイ
ＴＮＬ  トランスポートネットワークレイヤ
【０１５２】
例示的な実施の形態
実施の形態１。
第１無線ネットワークノード（２０８）によって実行される、第１コアネットワークノード（２０４）との制御プレーン接続を欠く第２無線ネットワークノード（２１０）のトランスポートネットワークレイヤ、ＴＮＬ、アドレスを発見する方法であって、前記第１無線ネットワークノード（２０８）、前記第２無線ネットワークノード（２１０）および前記第１コアネットワークノード（２０４）が無線通信ネットワーク（２００）内で動作しており、前記方法は以下を含む：
−前記第２無線ネットワークノード（２１０）のＴＮＬアドレスを取得すること（３０５）。
【０１５３】
実施の形態２。
以下を含む実施の形態１に記載の方法：
−前記第１コアネットワークノード（２０４）との通信インタフェースを確立した前記第２無線ネットワークノード（２１０）の前記ＴＮＬアドレスを求める要求を、前記第１コアネットワークノード（２０４）に、送信すること（３０１）、ここで、前記ＴＮＬアドレスを取得すること（３０５）は以下を含む：
−前記第２無線ネットワークノード（２１０）の前記ＴＮＬアドレスを、前記第１コアネットワークノード（２０４）から、受信すること。
【０１５４】
実施の形態３。
以下を含む実施の形態１に記載の方法：
−前記第２無線ネットワークノード（２１０）の前記ＴＮＬアドレスを求める要求を、プロキシノードとして働いている他の第１無線ネットワークノード（２０８）に、送信すること（３０２）、ここで、前記ＴＮＬアドレスを取得すること（３０５）は以下を含む：
−前記第２無線ネットワークノード（２１０）の前記ＴＮＬアドレスを、前記プロキシノードとして働いている前記他の第１コアネットワークノード（２０８）から、受信すること。
【０１５５】
実施の形態４。
実施の形態１に記載の方法であって、前記ＴＮＬアドレスを取得すること（３０５）は以下を含む：
−前記第２無線ネットワークノード（２１０）の前記ＴＮＬアドレスを、前記第１コアネットワークノード（２０４）および第２コアネットワークノード（２０６）のうちのひとつから、受信すること。
【０１５６】
実施の形態５。
以下を含む実施の形態１に記載の方法：
−前記第２無線ネットワークノード（２１０）によって報知されているＴＮＬアドレスを中継するよう求める要求を、前記通信ネットワーク（２００）内で動作しており前記第１無線ネットワークノード（２０８）によって担当されている無線デバイス（２１２）に、送信すること（３０３）、ここで、前記ＴＮＬアドレスを取得すること（３０５）は以下を含む：
−前記第２無線ネットワークノード（２１０）の前記報知されたＴＮＬアドレスを、前記無線デバイス（２１２）から、受信すること。
【０１５７】
実施の形態６。
以下を含む実施の形態１に記載の方法：
−前記第２無線ネットワークノード（２１０）のセル識別およびノード識別に関する情報を報告するよう求める要求を、前記通信ネットワーク（２００）内で動作しており前記第１無線ネットワークノード（２０８）によって担当されている無線デバイス（２１２）に、送信すること（３０４）、ここで、前記ＴＮＬアドレスを取得すること（３０５）は以下を含む：
−第２無線ネットワークノード（２１０）のセル識別およびノード識別に関する情報を、無線デバイス（２１２）から、受信する、
−前記第２無線ネットワークノード（２１０）の前記ＴＮＬアドレスを、前記受信した情報に基づいて、決定する。
【０１５８】
実施の形態７。
以下を含む実施の形態１から６のいずれかひとつに記載の方法：
−前記第１および第２無線ネットワークノード（２０８、２１０）間の通信インタフェース、例えばＸｘ−Ｃインタフェース、を確立すること（３０６）。
【０１５９】
実施の形態８。
第２無線ネットワークノード（２１０）によって実行される、それのトランスポートネットワークレイヤ、ＴＮＬ、アドレスを第１無線ネットワークノード（２０８）に提供する方法であって、前記第２無線ネットワークノード（２１０）は、第１コアネットワークノード（２０４）との制御プレーン接続を欠いており、前記第１無線ネットワークノード（２０８）、前記第２無線ネットワークノード（２１０）および前記第１コアネットワークノード（２０４）が無線通信ネットワーク（２００）内で動作しており、前記方法は以下を含む：
−ＴＮＬアドレスを提供すること（５０３）。
【０１６０】
実施の形態９。
以下を含む実施の形態８に記載の方法：
−前記第１コアネットワークノード（２０４）との通信インタフェース、例えばＳ１−ＭＭＥインタフェース、を確立すること（５０１）、
−そのＴＮＬアドレスを求める要求を、前記第１コアネットワークノード（２０４）から、受信すること（５０２）、ここで、前記ＴＮＬアドレスを提供すること（５０３）は以下を含む：
−前記第１コアネットワークノード（２０４）に前記ＴＮＬアドレスを送信すること。
【０１６１】
実施の形態１０。
実施の形態９に記載の方法であって、前記第１コアネットワークノード（２０４）との前記通信インタフェース、例えば前記Ｓ１−ＭＭＥインタフェース、を確立すること（５０１）は、以下を含む：
−ストリームコントロールトランスミッションプロトコル、ＳＣＴＰ、関連付け手順を開始し、かつ、Ｓ１−ＭＭＥ手順を発行／初期化することによって、前記Ｓ１−ＭＭＥインタフェースをセットアップすること。
【０１６２】
実施の形態１１。
実施の形態８に記載の方法であって、前記ＴＮＬアドレスを提供すること（５０３）は以下を含む：
−前記ＴＮＬアドレスを報知すること。
【０１６３】
実施の形態１２。
実施の形態８に記載の方法であって、前記ＴＮＬアドレスを提供すること（５０３）は以下を含む：
−前記第２無線ネットワークノード（２１０）のセル識別およびノード識別に関する情報を送信することであって、前記セル識別および前記ノード識別が前記第２無線ネットワークノード（２１０）の前記ＴＮＬアドレスを提供する、送信すること。
【０１６４】
いくつかのさらなる番号付けされた例示的な実施の形態
実施の形態ＵＳ１。
第１無線ネットワークノード（２０８）であって、第１無線ネットワークノード（２０８）は前記第１無線ネットワークノード（２０８）と第２無線ネットワークノード（２１０）との間の通信インタフェースを確立し、前記第１無線ネットワークノード（２０８）がひとつ以上のエバルブドユニバーサルテレストリアルラジオアクセス、Ｅ−ＵＴＲＡ、リソースを提供するよう構成され、前記第２無線ネットワークノード（２１０）がひとつ以上のニューラジオ、ＮＲ、リソースを提供するように構成され、前記第１および第２無線ネットワークノード（２０８、２１０）が無線通信ネットワーク（２００）内で動作するよう構成され、前記第１無線ネットワークノード（２０８）はプロセッサとメモリとを備え、前記メモリは前記プロセッサによって実行可能なインストラクションを含み、前記第１無線ネットワークノード（２０８）はその実行により、以下を行うよう動作可能である：
−前記第２無線ネットワークノード（２１０）のトランポートネットワークレイヤ、ＴＮＬ、アドレスを、以下のうちのひとつから、取得する：
前記無線通信ネットワーク（２００）内で動作するよう構成された第１コアネットワークノード（２０４）；および
前記無線通信ネットワーク（２００）内でプロキシノードとして働くよう構成された他の第１無線ネットワークノード（２０８）、ここで、前記他の第１無線ネットワークノード（２０８）がひとつ以上のＥ−ＵＴＲＡリソースを提供するよう構成される、
−前記取得されたＴＮＬアドレスに基づいて、前記第１無線ネットワークノード（２０８）と前記第２無線ネットワークノード（２１０）との間の通信インタフェースを確立する。
【０１６５】
実施の形態ＵＳ２。
前記第２無線ネットワークノード（２１０）のノード識別子が前記第１無線ネットワークノード（２０８）のノード識別子と異なる実施の形態ＵＳ１に記載の第１無線ネットワークノード（２０８）。
【０１６６】
実施の形態ＵＳ３。
前記第２無線ネットワークノード（２１０）の前記ノード識別子がＮＲセル識別子から導出され、前記第１無線ネットワークノード（２０８）の前記ノード識別子がＥ−ＵＴＲＡセル識別子から導出される実施の形態ＵＳ２に記載の第１無線ネットワークノード（２０８）。
【０１６７】
実施の形態ＵＳ４。
実施の形態ＵＳ１からＵＳ３のいずれか一項に記載の第１無線ネットワークノード（２０８）であって、さらに以下を行うよう動作可能である：
−前記第１コアネットワークノード（２０４）との通信インタフェースを有する前記第２無線ネットワークノード（２１０）の前記ＴＮＬアドレスを求める要求を、前記第１コアネットワークノード（２０４）に、送信すること、
前記第１無線ネットワークノード（２０８）は、以下を行うように構成されることによって、前記ＴＮＬアドレスを取得するよう構成される、
−前記第２無線ネットワークノード（２１０）の前記ＴＮＬアドレスを、前記第１コアネットワークノード（２０４）から、受信すること。
【０１６８】
実施の形態ＵＳ５。
実施の形態ＵＳ１に記載の第１無線ネットワークノード（２０８）であって、さらに以下を行うよう動作可能である：
−前記第２無線ネットワークノード（２１０）の前記ＴＮＬアドレスを求める要求を、前記プロキシノードとして働いている前記他の第１無線ネットワークノード（２０８）に、送信すること、
前記第１無線ネットワークノード（２０８）は、以下を行うように動作可能であることによって、前記ＴＮＬアドレスを取得するよう動作可能である、
−前記第２無線ネットワークノード（２１０）の前記ＴＮＬアドレスを、前記プロキシノードとして働いている前記他の第１コアネットワークノード（２０８）から、受信すること。
【０１６９】
実施の形態ＵＳ６。
実施の形態ＵＳ１に記載の第１無線ネットワークノード（２０８）であって、さらに以下を行うよう動作可能である：
前記第２無線ネットワークノード（２１０）の前記ＴＮＬアドレスを求める要求を、前記第１コアネットワークノード（２０４）に、インターコアネットワーク、ＣＮ、インターシステムインタフェースを介して、送信すること、
前記第１無線ネットワークノード（２０８）は、以下を行うように動作可能であることによって、前記ＴＮＬアドレスを取得するよう動作可能である、
−前記第２無線ネットワークノード（２１０）の前記ＴＮＬアドレスを、前記第１コアネットワークノード（２０４）から、受信すること。
【０１７０】
実施の形態ＵＳ７。
前記通信インタフェースはＸｘ−Ｃインタフェースである実施の形態ＵＳ１からＵＳ６のいずれか一項に記載の第１無線ネットワークノード（２０８）。
【０１７１】
実施の形態ＵＳ８。
第２無線ネットワークノード（２１０）であって、前記第２無線ネットワークノード（２１０）は、第１無線ネットワークノード（２０８）と前記第２無線ネットワークノード（２１０）との間の通信インタフェースの確立を可能とするためにそのトランスポートネットワークレイヤ、ＴＮＬ、アドレスを提供し、前記第１無線ネットワークノード（２０８）がひとつ以上のエバルブドユニバーサルテレストリアルラジオアクセス、Ｅ−ＵＴＲＡ、リソースを提供するよう構成され、前記第２無線ネットワークノード（２１０）がひとつ以上のニューラジオ、ＮＲ、リソースを提供するように構成され、前記第１無線ネットワークノード（２０８）および前記第２無線ネットワークノード（２１０）が無線通信ネットワーク（２００）内で動作するよう構成され、前記第２無線ネットワークノード（２１０）はプロセッサとメモリとを備え、前記メモリは前記プロセッサによって実行可能なインストラクションを含み、前記第２無線ネットワークノード（２１０）はその実行により、以下を行うよう動作可能である：
−ＴＮＬアドレスを以下のうちのひとつに提供すること：
前記無線通信ネットワーク（２００）内で動作するよう構成された第１コアネットワークノード（２０４）；および
前記無線通信ネットワーク（２００）内でプロキシノードとして働くよう構成された他の第１無線ネットワークノード（２０８）、ここで、前記他の第１無線ネットワークノード（２０８）がひとつ以上のＥ−ＵＴＲＡリソースを提供するよう構成される。
【０１７２】
実施の形態ＵＳ９。
実施の形態ＵＳ８に記載の第２無線ネットワークノード（２１０）であって、さらに以下を行うよう動作可能である：
−前記第１コアネットワークノード（２０４）との通信インタフェースを確立すること、
−そのＴＮＬアドレスを求める要求を、前記第１コアネットワークノード（２０４）から、受信すること、
前記第２無線ネットワークノード（２１０）は、以下を行うように動作可能であることによって、前記ＴＮＬアドレスを提供するよう動作可能である、
−前記第１コアネットワークノード（２０４）に前記ＴＮＬアドレスを前記通信インタフェースを介して送信すること。
【０１７３】
実施の形態ＵＳ１０。
実施の形態ＵＳ９に記載の第２無線ネットワークノード（２１０）であって、前記第２無線ネットワークノード（２１０）は、以下を行うよう動作可能であることによって、前記第１コアネットワークノード（２０４）との前記通信インタフェースを確立するよう動作可能である：
−ストリームコントロールトランスミッションプロトコル、ＳＣＴＰ、関連付け手順を開始し、かつ、Ｓ１−ＭＭＥ手順を開始することによって、Ｓ１−ＭＭＥインタフェースをセットアップすること。
【０１７４】
実施の形態ＵＳ１１。
実施の形態ＵＳ８に記載の第２無線ネットワークノード（２１０）であって、さらに以下を行うよう動作可能である：
−前記プロキシノードとして働いている前記第２無線ネットワークノード（２０８）とのＸｘ−Ｃインタフェースを確立すること、
前記第２無線ネットワークノード（２１０）は、以下を行うように動作可能であることによって、前記ＴＮＬアドレスを提供するよう動作可能である、
−前記プロキシノードとして働いている前記第２無線ネットワークノード（２０８）に前記ＴＮＬアドレスを前記Ｘｘ−Ｃインタフェースを介して送信すること。
【０１７５】
実施の形態ＵＳ１２。
実施の形態ＵＳ８に記載の第２無線ネットワークノード（２１０）であって、さらに以下を行うよう動作可能である：
−前記第１コアネットワークノード（２０４）とのインターコアネットワーク、ＣＮ、インターシステムインタフェースを確立すること、
−そのＴＮＬアドレスを求める要求を、前記第１コアネットワークノード（２０４）から、受信すること、
前記第２無線ネットワークノード（２１０）は、以下を行うように動作可能であることによって、前記ＴＮＬアドレスを提供するよう動作可能である、
−前記第１コアネットワークノード（２０４）に前記ＴＮＬアドレスを前記インターＣＮインターシステムインタフェースを介して送信すること。
【０１７６】
実施の形態ＣＮ１。
第１無線ネットワークノード（２０８）であって、第１無線ネットワークノード（２０８）は前記第１無線ネットワークノード（２０８）と第２無線ネットワークノード（２１０）との間の通信インタフェースを確立し、前記第１無線ネットワークノード（２０８）がひとつ以上のエバルブドユニバーサルテレストリアルラジオアクセス、Ｅ−ＵＴＲＡ、リソースを提供するよう構成され、前記第２無線ネットワークノード（２１０）がひとつ以上のニューラジオ、ＮＲ、リソースを提供するように構成され、前記第１および第２無線ネットワークノード（２０８、２１０）が無線通信ネットワーク（２００）内で動作するよう構成され、前記第１無線ネットワークノード（２０８）は以下を備える：
−前記第２無線ネットワークノード（２１０）のトランポートネットワークレイヤ、ＴＮＬ、アドレスを、以下のうちのひとつから、取得するよう構成された取得モジュール（４０３）：
前記無線通信ネットワーク（２００）内で動作するよう構成された第１コアネットワークノード（２０４）；および
前記無線通信ネットワーク（２００）内でプロキシノードとして働くよう構成された他の第１無線ネットワークノード（２０８）、ここで、前記他の第１無線ネットワークノード（２０８）がひとつ以上のＥ−ＵＴＲＡリソースを提供するよう構成される、
−前記取得されたＴＮＬアドレスに基づいて、前記第１無線ネットワークノード（２０８）と前記第２無線ネットワークノード（２１０）との間の通信インタフェースを確立するよう構成された確立モジュール（４０５）。
【０１７７】
実施の形態ＣＮ２。
前記第２無線ネットワークノード（２１０）のノード識別子が前記第１無線ネットワークノード（２０８）のノード識別子と異なる実施の形態ＣＮ１に記載の第１無線ネットワークノード（２０８）。
【０１７８】
実施の形態ＣＮ３。
前記第２無線ネットワークノード（２１０）の前記ノード識別子がＮＲセル識別子から導出され、前記第１無線ネットワークノード（２０８）の前記ノード識別子がＥ−ＵＴＲＡセル識別子から導出される実施の形態ＣＮ３に記載の第１無線ネットワークノード（２０８）。
【０１７９】
実施の形態ＣＮ４。
実施の形態ＣＮ１からＣＮ３のいずれか一項に記載の第１無線ネットワークノード（２０８）であって、以下を備える：
−前記第１コアネットワークノード（２０４）との通信インタフェースを有する前記第２無線ネットワークノード（２１０）の前記ＴＮＬアドレスを求める要求を、前記第１コアネットワークノード（２０４）に、送信するよう構成された送信モジュール（４０２）、
前記第１無線ネットワークノード（２０８）は、以下を備えるように構成されることによって、前記ＴＮＬアドレスを取得するよう構成される、
−前記第２無線ネットワークノード（２１０）の前記ＴＮＬアドレスを、前記第１コアネットワークノード（２０４）から、受信するよう構成された受信モジュール（４０１）。
【０１８０】
実施の形態ＣＮ５。
実施の形態ＣＮ１に記載の第１無線ネットワークノード（２０８）であって、以下を備える：
−前記第２無線ネットワークノード（２１０）の前記ＴＮＬアドレスを求める要求を、前記プロキシノードとして働いている前記他の第１無線ネットワークノード（２０８）に、送信するよう構成された送信モジュール（４０２）、
前記第１無線ネットワークノード（２０８）は、以下を備えるように構成されることによって、前記ＴＮＬアドレスを取得するよう構成される、
−前記第２無線ネットワークノード（２１０）の前記ＴＮＬアドレスを、前記プロキシノードとして働いている前記他の第１コアネットワークノード（２０８）から、受信するよう構成された受信モジュール（４０１）。
【０１８１】
実施の形態ＣＮ６。
実施の形態ＣＮ１に記載の第１無線ネットワークノード（２０８）であって、以下を備える：
前記第２無線ネットワークノード（２１０）の前記ＴＮＬアドレスを求める要求を、前記第１コアネットワークノード（２０４）に、インターコアネットワーク、ＣＮ、インターシステムインタフェースを介して、送信するよう構成された送信モジュール（４０２）、
前記第１無線ネットワークノード（２０８）は、以下を備えるように構成されることによって、前記ＴＮＬアドレスを取得するよう構成される、
−前記第２無線ネットワークノード（２１０）の前記ＴＮＬアドレスを、前記第１コアネットワークノード（２０４）から、受信するよう構成された受信モジュール（４０１）。
【０１８２】
実施の形態ＣＮ７。
前記通信インタフェースはＸｘ−Ｃインタフェースである実施の形態ＣＮ１からＣＮ６のいずれか一項に記載の第１無線ネットワークノード（２０８）。
【０１８３】
実施の形態ＣＮ８。
第２無線ネットワークノード（２１０）であって、前記第２無線ネットワークノード（２１０）は、第１無線ネットワークノード（２０８）と前記第２無線ネットワークノード（２１０）との間の通信インタフェースの確立を可能とするためにそのトランスポートネットワークレイヤ、ＴＮＬ、アドレスを提供し、前記第１無線ネットワークノード（２０８）がひとつ以上のエバルブドユニバーサルテレストリアルラジオアクセス、Ｅ−ＵＴＲＡ、リソースを提供するよう構成され、前記第２無線ネットワークノード（２１０）がひとつ以上のニューラジオ、ＮＲ、リソースを提供するように構成され、前記第１無線ネットワークノード（２０８）および前記第２無線ネットワークノード（２１０）が無線通信ネットワーク（２００）内で動作するよう構成され、前記第２無線ネットワークノード（２１０）は以下を備える：
−ＴＮＬアドレスを以下のうちのひとつに提供するよう構成された提供モジュール（６０４）：
前記無線通信ネットワーク（２００）内で動作するよう構成された第１コアネットワークノード（２０４）；および
前記無線通信ネットワーク（２００）内でプロキシノードとして働くよう構成された他の第１無線ネットワークノード（２０８）、ここで、前記他の第１無線ネットワークノード（２０８）がひとつ以上のＥ−ＵＴＲＡリソースを提供するよう構成される。
【０１８４】
実施の形態ＣＮ９。
請求項２０に記載の第２無線ネットワークノード（２１０）であって、以下を備える：
−前記第１コアネットワークノード（２０４）との通信インタフェースを確立するよう構成された確立モジュール（６０３）、
−そのＴＮＬアドレスを求める要求を、前記第１コアネットワークノード（２０４）から、受信するよう構成された受信モジュール（６０１）、
前記第２無線ネットワークノード（２１０）は、以下を備えるように構成されることによって、前記ＴＮＬアドレスを提供するよう構成される、
−前記第１コアネットワークノード（２０４）に前記ＴＮＬアドレスを前記通信インタフェースを介して送信するよう構成された送信モジュール（６０２）。
【０１８５】
実施の形態ＣＮ１０。
実施の形態ＣＮ９に記載の第２無線ネットワークノード（２１０）であって、前記第２無線ネットワークノード（２１０）は、前記確立モジュール（６０３）が以下を行うよう構成されることによって、前記第１コアネットワークノード（２０４）との前記通信インタフェースを確立するよう構成される：
−ストリームコントロールトランスミッションプロトコル、ＳＣＴＰ、関連付け手順を開始し、かつ、Ｓ１−ＭＭＥ手順を開始することによって、Ｓ１−ＭＭＥインタフェースをセットアップすること。
【０１８６】
実施の形態ＣＮ１１。
実施の形態ＣＮ８に記載の第２無線ネットワークノード（２１０）であって、以下を備える：
−前記プロキシノードとして働いている前記第２無線ネットワークノード（２０８）とのＸｘ−Ｃインタフェースを確立するよう構成された確立モジュール（６０３）、
前記第２無線ネットワークノード（２１０）は、以下を備えるように構成されることによって、前記ＴＮＬアドレスを提供するよう構成される、
−前記プロキシノードとして働いている前記第２無線ネットワークノード（２０８）に前記ＴＮＬアドレスを前記Ｘｘ−Ｃインタフェースを介して送信するよう構成された送信モジュール（６０２）。
【０１８７】
実施の形態ＣＮ１２。
実施の形態ＣＮ８に記載の第２無線ネットワークノード（２１０）であって、以下を備える：
−前記第１コアネットワークノード（２０４）とのインターコアネットワーク、ＣＮ、インターシステムインタフェースを確立するよう構成された確立モジュール（６０３）、
−そのＴＮＬアドレスを求める要求を、前記第１コアネットワークノード（２０４）から、受信するよう構成された受信モジュール（６０１）、
前記第２無線ネットワークノード（２１０）は、以下を備えるように構成されることによって、前記ＴＮＬアドレスを提供するよう構成される、
−前記第１コアネットワークノード（２０４）に前記ＴＮＬアドレスを前記インターＣＮインターシステムインタフェースを介して送信するよう構成された送信モジュール（６０２）。
【０１８８】
語「ｃｏｍｐｒｉｓｅ」や「ｃｏｍｐｒｉｓｉｎｇ」が本開示で用いられる場合、それは非限定的なものとして、すなわち「ｃｏｎｓｉｓｔ  ａｔ  ｌｅａｓｔ  ｏｆ」を意味するものとして解釈されるべきである。
【０１８９】
上述の説明および添付の図面に提示される教示の利点を有する開示された実施の形態の変形例や他の変更例は、当業者には明らかであろう。したがって、本明細書の実施の形態は開示される特定の例に限定されるものではなく、変形例や他の変更例は本開示の範囲内に含まれることが意図されていることは理解されるであろう。本明細書で具体的な用語が用いられたが、それらは概括的なものおよび説明的なものとしてのみ使用されるのであって、限定を目的としていない。
【図１Ａ】
2020516142.tif 000003
【図１Ｂ】
2020516142.tif 000004
【図２】
2020516142.tif 000005
【図３】
2020516142.tif 000006
【図４】
2020516142.tif 000007
【図５】
2020516142.tif 000008
【図６】
2020516142.tif 000009
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
第１無線ネットワークノード（２０８）によって実行される、前記第１無線ネットワークノード（２０８）と第２無線ネットワークノード（２１０）との間の通信インタフェースを確立する方法であって、前記第１無線ネットワークノード（２０８）がひとつ以上のエバルブドユニバーサルテレストリアルラジオアクセス、Ｅ−ＵＴＲＡ、リソースを提供するよう構成され、前記第２無線ネットワークノード（２１０）がひとつ以上のニューラジオ、ＮＲ、リソースを提供するように構成され、前記第１および第２無線ネットワークノード（２０８、２１０）が無線通信ネットワーク（２００）内で動作しており、前記方法は、
−前記第２無線ネットワークノード（２１０）のトランポートネットワークレイヤ、ＴＮＬ、アドレスを、前記無線通信ネットワーク（２００）内でプロキシノードとして働いている他の第１無線ネットワークノード（２０８）から取得すること（３０５）であって、前記他の第１無線ネットワークノード（２０８）がひとつ以上のＥ−ＵＴＲＡリソースを提供するよう構成される、取得すること（３０５）と、
−前記取得されたＴＮＬアドレスに基づいて、前記第１無線ネットワークノード（２０８）と前記第２無線ネットワークノード（２１０）との間の前記通信インタフェースを確立すること（３０６）と、を含む方法。
【請求項２】
前記第２無線ネットワークノード（２１０）のノード識別子が前記第１無線ネットワークノード（２０８）のノード識別子と異なる請求項１に記載の方法。
【請求項３】
前記第２無線ネットワークノード（２１０）の前記ノード識別子がＮＲセル識別子から導出され、前記第１無線ネットワークノード（２０８）の前記ノード識別子がＥ−ＵＴＲＡセル識別子から導出される請求項２に記載の方法。
【請求項４】
−前記第２無線ネットワークノード（２１０）の前記ＴＮＬアドレスを求める要求を、前記プロキシノードとして働いている前記他の第１無線ネットワークノード（２０８）に、送信すること（３０２）を含み、
前記ＴＮＬアドレスを取得すること（３０５）は、
−前記第２無線ネットワークノード（２１０）の前記ＴＮＬアドレスを、前記プロキシノードとして働いている前記他の第１コアネットワークノード（２０８）から、受信することを含む請求項１に記載の方法。
【請求項５】
前記通信インタフェースはＸｘ−Ｃインタフェースである請求項１から４のいずれか一項に記載の方法。
【請求項６】
第２無線ネットワークノード（２１０）によって実行される、第１無線ネットワークノード（２０８）と前記第２無線ネットワークノード（２１０）との間の通信インタフェースの確立を可能とするためにそのトランスポートネットワークレイヤ、ＴＮＬ、アドレスを提供する方法であって、前記第１無線ネットワークノード（２０８）がひとつ以上のエバルブドユニバーサルテレストリアルラジオアクセス、Ｅ−ＵＴＲＡ、リソースを提供するよう構成され、前記第２無線ネットワークノード（２１０）がひとつ以上のニューラジオ、ＮＲ、リソースを提供するように構成され、前記第１無線ネットワークノード（２０８）および前記第２無線ネットワークノード（２１０）が無線通信ネットワーク（２００）内で動作しており、前記方法は、
−ＴＮＬアドレスを、前記無線通信ネットワーク（２００）内でプロキシノードとして働いている他の第１無線ネットワークノード（２０８）に提供すること（５０３）を含み、
前記他の第１無線ネットワークノード（２０８）がひとつ以上のＥ−ＵＴＲＡリソースを提供するよう構成される方法。
【請求項７】
−前記プロキシノードとして働いている前記他の第１無線ネットワークノード（２０８）とのＸｘ−Ｃインタフェースを確立することを含み、
前記ＴＮＬアドレスを提供すること（５０３）は、
−前記プロキシノードとして働いている前記他の第１無線ネットワークノード（２０８）に前記ＴＮＬアドレスを前記Ｘｘ−Ｃインタフェースを介して送信することを含む請求項６に記載の方法。
【請求項８】
第１無線ネットワークノード（２０８）であって、第１無線ネットワークノード（２０８）は前記第１無線ネットワークノード（２０８）と第２無線ネットワークノード（２１０）との間の通信インタフェースを確立し、前記第１無線ネットワークノード（２０８）がひとつ以上のエバルブドユニバーサルテレストリアルラジオアクセス、Ｅ−ＵＴＲＡ、リソースを提供するよう構成され、前記第２無線ネットワークノード（２１０）がひとつ以上のニューラジオ、ＮＲ、リソースを提供するように構成され、前記第１および第２無線ネットワークノード（２０８、２１０）が無線通信ネットワーク（２００）内で動作するよう構成され、前記第１無線ネットワークノード（２０８）は、
−前記第２無線ネットワークノード（２１０）のトランポートネットワークレイヤ、ＴＮＬ、アドレスを、前記無線通信ネットワーク（２００）内でプロキシノードとして働くよう構成された他の第１無線ネットワークノード（２０８）から取得することであって、前記他の第１無線ネットワークノード（２０８）がひとつ以上のＥ−ＵＴＲＡリソースを提供するよう構成される、取得することと、
−前記取得されたＴＮＬアドレスに基づいて、前記第１無線ネットワークノード（２０８）と前記第２無線ネットワークノード（２１０）との間の前記通信インタフェースを確立することと、
を行うよう構成される第１無線ネットワークノード（２０８）。
【請求項９】
前記第２無線ネットワークノード（２１０）のノード識別子が前記第１無線ネットワークノード（２０８）のノード識別子と異なる請求項８に記載の第１無線ネットワークノード（２０８）。
【請求項１０】
前記第２無線ネットワークノード（２１０）の前記ノード識別子がＮＲセル識別子から導出され、前記第１無線ネットワークノード（２０８）の前記ノード識別子がＥ−ＵＴＲＡセル識別子から導出される請求項９に記載の第１無線ネットワークノード（２０８）。
【請求項１１】
前記第１無線ネットワークノード（２０８）は、
−前記第２無線ネットワークノード（２１０）の前記ＴＮＬアドレスを求める要求を、前記プロキシノードとして働いている前記他の第１無線ネットワークノード（２０８）に、送信すること、を行うように構成され、
前記第１無線ネットワークノード（２０８）は、
−前記第２無線ネットワークノード（２１０）の前記ＴＮＬアドレスを、前記プロキシノードとして働いている前記他の第１コアネットワークノード（２０８）から、受信すること、を行うように構成されることによって、前記ＴＮＬアドレスを取得するよう構成される請求項８に記載の第１無線ネットワークノード（２０８）。
【請求項１２】
前記通信インタフェースはＸｘ−Ｃインタフェースである請求項８から１１のいずれか一項に記載の第１無線ネットワークノード（２０８）。
【請求項１３】
第２無線ネットワークノード（２１０）であって、前記第２無線ネットワークノード（２１０）は、第１無線ネットワークノード（２０８）と前記第２無線ネットワークノード（２１０）との間の通信インタフェースの確立を可能とするためにそのトランスポートネットワークレイヤ、ＴＮＬ、アドレスを提供し、前記第１無線ネットワークノード（２０８）がひとつ以上のエバルブドユニバーサルテレストリアルラジオアクセス、Ｅ−ＵＴＲＡ、リソースを提供するよう構成され、前記第２無線ネットワークノード（２１０）がひとつ以上のニューラジオ、ＮＲ、リソースを提供するように構成され、前記第１無線ネットワークノード（２０８）および前記第２無線ネットワークノード（２１０）が無線通信ネットワーク（２００）内で動作するよう構成され、前記第２無線ネットワークノード（２１０）は、
−ＴＮＬアドレスを、前記無線通信ネットワーク（２００）内でプロキシノードとして働くよう構成された他の第１無線ネットワークノード（２０８）に提供することを行うように構成され、
前記他の第１無線ネットワークノード（２０８）がひとつ以上のＥ−ＵＴＲＡリソースを提供するよう構成される第２無線ネットワークノード（２１０）。
【請求項１４】
前記第２無線ネットワークノード（２１０）は、
−前記プロキシノードとして働いている前記第２無線ネットワークノード（２０８）とのＸｘ−Ｃインタフェースを確立すること、を行うように構成され、
前記第２無線ネットワークノード（２１０）は、
−前記プロキシノードとして働いている前記第２無線ネットワークノード（２０８）に前記ＴＮＬアドレスを前記Ｘｘ−Ｃインタフェースを介して送信すること、を行うように構成されることによって、前記ＴＮＬアドレスを提供するよう構成される請求項１３に記載の第２無線ネットワークノード（２１０）。
【請求項１５】
コンピュータプログラムであって、インストラクションを備え、該インストラクションは少なくともひとつのプロセッサによって実行された場合、前記少なくともひとつのプロセッサに請求項１から７のいずれか一項に記載の方法を実行させるコンピュータプログラム。
【請求項１６】
請求項１５に記載のコンピュータプログラムを含むキャリアであって、前記キャリアは電気信号、光学信号、無線信号、またはコンピュータ可読ストレージ媒体のうちのひとつであるキャリア。
【国際調査報告】
2020516142.tif 000010
2020516142.tif 000011
2020516142.tif 000012
2020516142.tif 000013